(57)【要約】【課題】部品の設計変更があったとき、ＰＤＭデータベースを備えたＰＤＭ本体システムと連携して、設変処理を容易に行うことができるとともに、容易に設変処理が行われたことを知ることができる拡張ＰＤＭシステムを提供する。【解決手段】  拡張ＰＤＭシステム１０は、ＰＤＭ本体システム１００、ＰＤＭ設変システム２００等を備える。ＰＤＭ設変システム２００のＣＰＵ２０１は、部品情報と部品の構成情報がツリー形式にて管理されたＰＤＭデータベースＤを備えたＰＤＭ本体システム１００の該ＰＤＭデータベースＤから、設変対象の部品に関するデータベースを取得する。ＣＰＵ２０１は取得したデータベースにおける設変対象の部品に関するデータに対して設変処理を行う。設変処理後の部品の仮データベースに基づいて、ＰＤＭ本体システム１００のＣＰＵ１０１は、ＰＤＭデータベースを更新する。【選択図】        図１
2006127314.tif 000002
【特許請求の範囲】
【請求項１】
部品情報及び部品の構成情報がツリー形式にて管理されたＰＤＭデータベースを備えたＰＤＭ本体システムの該ＰＤＭデータベースから、少なくとも設変対象の部品に関するツリー形式のデータベースを取得する取得手段と、前記取得したデータベースにおける設変対象の部品に関するデータに対して設変処理を行う設変処理手段と、設変処理後のデータを少なくとも含む仮データベースを記憶する記憶手段と、前記設変処理後の部品の仮データベースに基づいて前記ＰＤＭデータベースを更新する更新手段を備えたことを特徴とする拡張ＰＤＭシステム。
【請求項２】
前記設変処理が行われた部品に関するデータを識別するための識別データを付与する識別データ付与手段を備え、
前記更新手段は、前記識別データ及び前記設変処理後の部品のデータを含む前記仮データベースに基づいて前記ＰＤＭデータベースを更新することを特徴とする請求項１に記載の拡張ＰＤＭシステム。
【請求項３】
前記識別データは、ＰＤＭ本体システムでのデータ更新を促す趣旨のものである請求項２に記載の拡張ＰＤＭシステム。
【請求項４】
前記識別データは、どのような設変が行われたかを示す設変履歴を示すデータであることを特徴とする請求項２に記載の拡張ＰＤＭシステム。
【請求項５】
前記取得手段にて取得した部品の構成情報に含まれるツリー形式のデータに基づいて構成ツリーと部品リストとを連動して表示する表示手段と、設変処理項目メニューの表示を指示する設変処理メニュー指示手段と、前記指示に基づいて、前記表示手段に対して、複数の設変処理項目を表示制御するメニュー表示制御手段と、表示された前記設変処理項目のいずれかを選択する選択手段と、
を備え、
前記設変処理手段は、前記選択手段にて選択された設変処理項目に応じた設変処理を行うことを特徴とする請求項１に記載の拡張ＰＤＭシステム。
【請求項６】
部品情報及び部品の構成情報がツリー形式にて管理されたＰＤＭデータベースを備えたＰＤＭ本体システムに対して設変対象の部品の検索指示を行う検索指示手段と、前記ＰＤＭデータベースから、前記検索指示に応じて得た設変対象の部品に関するデータベースを取得する取得手段と、前記取得手段が取得した前記データベースに基づいて、設変対象の部品の品番と、前記設変対象の部品を含む部品構成の最上位品番を表示する表示手段と、前記取得したデータベースにおける設変対象の部品に関するデータに対して設変処理を行う設変処理手段と、設変処理後のデータを少なくとも含む仮データベースを記憶する記憶手段と、前記設変処理後の部品の仮データベースに基づいて前記ＰＤＭデータベースを更新する更新手段を備えたことを特徴とする拡張ＰＤＭシステム。
【請求項７】
使用予定品番を入力する使用予定品番入力手段と、前記該使用予定品番を記憶する使用予定品番記憶手段と、前記使用予定品番記憶手段の使用予定品番の読取書き込みを制御する記憶制御手段とを備えた品番登録システムと、
前記使用予定品番の送出を要求する要求手段と、
前記要求手段の要求に応じて前記使用予定品番記憶手段が記憶した使用予定品番を取得し、前記設変対象の部品の品番を親品番とし、該使用予定品番を新設品番である子品番としてリンクする新設品番設定手段とを備えることを特徴とする請求項１乃至請求項４のうちいずれか１項に記載の拡張ＰＤＭシステム。
【請求項８】
１つ又は複数の設変処理を設変処理単位として特定するための設変処理識別名を取得する設変処理識別名取得手段を備え、
前記設変処理手段が設変処理を行う毎に、該設変処理を行った設変対象の部品に関するデータに対して、前記取得した設変処理識別名、及び、行われた設変処理の名称を付与することを特徴とする請求項２乃至請求項４のうちいずれか１項に記載の拡張ＰＤＭシステム。
【請求項９】
前記設変処理識別名を特定して該設変処理識別名の下で行われた設変の内容の印刷指令を出力する印刷指令手段と、
前記印刷指令に応じて、前記仮データベース中の前記設変処理識別名が付与されたデータを前記記憶手段から読み出して、設変処理が行われた設変対象の部品に関するデータをリストアップした設変指令書データを作成して、印刷手段に出力する指令書データ作成手段を備えたことを特徴とする請求項８に記載の拡張ＰＤＭシステム。
【請求項１０】
前記設変処理識別名を特定して該設変処理識別名の下で行われた設変の内容の印刷指令を出力する印刷指令手段と、
前記印刷指令に応じて、前記仮データベース中の前記設変処理識別名が付与されたデータを前記記憶手段から読み出して、設変処理が行われた部品及び該部品にツリー構造で関係する部品の部品表データを作成して、印刷手段に出力する部品表データ作成手段を備えたことを特徴とする請求項８に記載の拡張ＰＤＭシステム。
【請求項１１】
前記設変処理識別名を特定して該設変処理識別名の下で行われた設変の内容の印刷指令を出力する印刷指令手段と、
前記印刷指令に応じて、前記仮データベース中の前記設変処理識別名が付与されたデータを前記記憶手段から読み出して、設変指令書データを作成して、印刷手段に出力する指令書データ作成手段と、
前記印刷指令に応じて、前記仮データベース中の前記設変処理識別名が付与されたデータを前記記憶手段から読み出して、設変処理が行われた部品及び該部品にツリー構造で関係する部品の部品表データを作成して、印刷手段に出力する部品表データ作成手段を備えたことを特徴とする請求項８に記載の拡張ＰＤＭシステム。
【発明の詳細な説明】
【技術分野】
【０００１】
本発明は、拡張ＰＤＭ（Product  Data  Mnagement）システムに関する。
【背景技術】
【０００２】
ＰＤＭシステムは、設計から製造全般に亘って多種多様なエンジニアリング・データを統合し、一元管理するコンピュータシステムであって、例えば、ＣＡＤデータ、部品情報（Parts  Number）を管理するファイル管理、部品の構成情報（部品構成情報（Parts  Structure））を管理する等の機能を有する。ＰＤＭシステムでは、前記部品構成情報をツリー形式に構成したデータベースで管理している。
【０００３】
従来は、設計変更処理によって生じたデータを更新する場合、ＰＤＭシステム上で、その更新に関連する部品のデータを一旦取り出し、データを更新した後、改めて、関連する他のデータと階層構造となるようにリレーションを張り巡らす処理を行っている。
【発明の開示】
【発明が解決しようとする課題】
【０００４】
しかし、従来のＰＤＭシステムは、基本的に前記ツリー形式のデータベースから生成される製品の部品表を管理するのみで、設計変更があった場合、そのデータを更新する処理は極めて難しい問題がある。すなわち、ＰＤＭシステム上で、設計変更処理によって生じたデータを更新する場合には、上記のようにその更新に関連する部品のデータを一旦取り出し、データを更新した後、改めて、関連する他のデータと階層構造となるように複雑な手順を踏んでリレーションを張り巡らす処理が必要とされている。このため、ＰＤＭシステム上でのデータの更新処理には時間がかかり、又、複雑な更新処理を行う必要がある。
【０００５】
なお、本明細書では、設計変更によって生じたデータの更新を、以下の説明では「設変」、又は「設変処理」という。
本発明の目的は、従来のＰＤＭシステムを拡張して部品の設計変更があったとき、ＰＤＭデータベースを備えたＰＤＭ本体システムと連携して、設変処理を容易に行うことができるとともに、容易に設変処理が行われたことを知ることができる拡張ＰＤＭシステムを提供することにある。又、本発明の目的は、ＰＤＭ本体システムのＰＤＭデータベースを直接書き換えるのではなく、ＰＤＭ本体システムとは独立した一時的な仮データベースを構築することにより、ＰＤＭデータベースを最新の状態にすることができる拡張ＰＤＭシステムを提供することにある。
【課題を解決するための手段】
【０００６】
上記問題点を解決するために、請求項１に記載の発明は、部品情報及び部品の構成情報がツリー形式にて管理されたＰＤＭデータベースを備えたＰＤＭ本体システムの該ＰＤＭデータベースから、少なくとも設変対象の部品に関するツリー形式のデータベースを取得する取得手段と、前記取得したデータベースにおける設変対象の部品に関するデータに対して設変処理を行う設変処理手段と、設変処理後のデータを少なくとも含む仮データベースを記憶する記憶手段と、前記設変処理後の部品の仮データベースに基づいて前記ＰＤＭデータベースを更新する更新手段を備えたことを特徴とする拡張ＰＤＭシステムを要旨とする。
【０００７】
請求項２の発明は、前記設変処理が行われた部品に関するデータを識別するための識別データを付与する識別データ付与手段を備え、前記更新手段は、前記識別データ及び前記設変処理後の部品のデータを含む前記仮データベースに基づいて前記ＰＤＭデータベースを更新することを特徴とする。
【０００８】
請求項３の発明は、請求項２において、前記識別データは、ＰＤＭ本体システムでのデータ更新を促す趣旨のものであることを特徴とする。
請求項４の発明は、前記識別データは、どのような設変が行われたかを示す設変履歴を示すデータであることを特徴とする。
【０００９】
請求項５の発明は、請求項１において、前記取得手段にて取得した部品の構成情報に含まれるツリー形式のデータに基づいて構成ツリーと部品リストとを連動して表示する表示手段と、設変処理項目メニューの表示を指示する設変処理メニュー指示手段と、前記指示に基づいて、前記表示手段に対して、複数の設変処理項目を表示制御するメニュー表示制御手段と、表示された前記設変処理項目のいずれかを選択する選択手段と、を備え、前記設変処理手段は、前記選択手段にて選択された設変処理項目に応じた設変処理を行うことを特徴とする。
【００１０】
請求項６の発明は、部品情報及び部品の構成情報がツリー形式にて管理されたＰＤＭデータベースを備えたＰＤＭ本体システムに対して設変対象の部品の検索指示を行う検索指示手段と、前記ＰＤＭデータベースから、前記検索指示に応じて得た設変対象の部品に関するデータベースを取得する取得手段と、前記取得手段が取得した前記データベースに基づいて、設変対象の部品の品番と、前記設変対象の部品を含む部品構成の最上位品番を表示する表示手段と、前記取得したデータベースにおける設変対象の部品に関するデータに対して設変処理を行う設変処理手段と、設変処理後のデータを少なくとも含む仮データベースを記憶する記憶手段と、前記設変処理後の部品の仮データベースに基づいて前記ＰＤＭデータベースを更新する更新手段を備えたことを特徴とする拡張ＰＤＭシステムを要旨とするものである。
【００１１】
請求項７の発明は、請求項１乃至請求項４のうちいずれか１項において、使用予定品番を入力する使用予定品番入力手段と、前記該使用予定品番を記憶する使用予定品番記憶手段と、前記使用予定品番記憶手段の使用予定品番の読取書き込みを制御する記憶制御手段とを備えた品番登録システムと、前記使用予定品番の送出を要求する要求手段と、前記要求手段の要求に応じて前記使用予定品番記憶手段が記憶した使用予定品番を取得し、前記設変対象の部品の品番を親品番とし、該使用予定品番を新設品番である子品番としてリンクする新設品番設定手段とを備えることを特徴とする。
【００１２】
請求項８の発明は、請求項２乃至請求項４のうちいずれか１項において、１つ又は複数の設変処理を設変処理単位として特定するための設変処理識別名を取得する設変処理識別名取得手段を備え、前記設変処理手段が設変処理を行う毎に、該設変処理を行った設変対象の部品に関するデータに対して、前記取得した設変処理識別名、及び、行われた設変処理の名称を付与することを特徴とする。
【００１３】
請求項９の発明は、請求項８において、前記設変処理識別名を特定して該設変処理識別名の下で行われた設変の内容の印刷指令を出力する印刷指令手段と、前記印刷指令に応じて、前記仮データベース中の前記設変処理識別名が付与されたデータを前記記憶手段から読み出して、設変処理が行われた設変対象の部品をリストアップした設変指令書データを作成して、印刷手段に出力する指令書データ作成手段を備えたことを特徴とする。
【００１４】
請求項１０の発明は、請求項８において、前記設変処理識別名を特定して該設変処理識別名の下で行われた設変の内容の印刷指令を出力する印刷指令手段と、前記印刷指令に応じて、前記仮データベース中の前記設変処理識別名が付与されたデータを前記記憶手段から読み出して、設変処理が行われた部品及び該部品にツリー構造で関係する部品の部品表データを作成して、印刷手段に出力する部品表データ作成手段を備えたことを特徴とする。
【００１５】
請求項１１の発明は、請求項８において、前記設変処理識別名を特定して該設変処理識別名の下で行われた設変の内容の印刷指令を出力する印刷指令手段と、前記印刷指令に応じて、前記仮データベース中の前記設変処理識別名が付与されたデータを前記記憶手段から読み出して、設変指令書データを作成して、印刷手段に出力する指令書データ作成手段と、前記印刷指令に応じて、前記仮データベース中の前記設変処理識別名が付与されたデータを前記記憶手段から読み出して、設変処理が行われた部品及び該部品にツリー構造で関係する部品の部品表データを作成して、印刷手段に出力する部品表データ作成手段を備えたことを特徴とする。
【発明の効果】
【００１６】
請求項１乃至請求項１１の発明によれば、部品の設計変更があったとき、ＰＤＭ本体システムと連携して、設変処理を容易に行うことができるとともに、容易に設変処理が行われたことを知ることができる。又、請求項１の発明によれば、ＰＤＭ本体システムのＰＤＭデータベースを直接書き換えるのではなく、ＰＤＭデータベースとは独立した一時的な仮データベースを構築することにより、ＰＤＭデータベースを設変処理に応じて最新の状態にすることができる。
【００１７】
請求項２の発明によれば、識別データが付与されたデータを、ＰＤＭ本体システムのディスプレイ等の表示手段にて表示することにより、データ更新があったことを知ることができる。
【００１８】
請求項３の発明によれば、データ更新の処理を促す識別データが付与されたデータを、ディスプレイ等の表示手段にて表示することにより、管理者に識別データが付与された部品に関するデータ更新の処理を促すことができる。この結果、ＰＤＭ本体システムのデータ更新を容易に行うことができる。
【００１９】
請求項４の発明によれば、設変履歴を示すデータがあることにより、どのような設変処理があったことを知ることができる。又、設変履歴が残るため、間違えて設変処理が仮に行われたとしても、データの復元・廃棄が容易に行うことができる。
【００２０】
請求項５の発明によれば、表示手段には、部品構成を表示するために、トップアッシーを筆頭（上位）にして下位の部品をツリー形式で表示するツリー表示領域と、部品表を表示する部品表示領域が設けられる。従来のＰＤＭシステムでは、上記のように各表示領域を表示した状態で、マウス等のポインティング手段にてドラッグ＆ドロップによるツリー操作を行うことにより、設変処理を行うことが提案されている。しかし、この場合、ドラッグ＆ドロップによる操作であり、ポインタの移動操作中に、ドラッグ＆ドロップの操作が解除されてしまい、操作ミスが生じやすい問題がある。請求項５の発明によれば、設変処理メニューに表示された設変処理項目のいずれかを選択手段にて簡単に選択できるため、容易に設変処理を行うことができる。
【００２１】
請求項６の発明によれば、検索指示手段の検索指示に応じて得た設変対象の部品を含む部品構成の最上位品番のデータを、該ＰＤＭデータベースから取得して、表示手段に該設変対象の部品を含む全ての部品構成の最上位品番を表示する。この結果、該設変対象の部品を含む全ての部品構成の最上位品番が表示されるため、全ての設変対象の部品について設変処理を行うことができ、設変漏れを防止することができる。
【００２２】
請求項７の発明によれば、従来のＰＤＭシステムでは、新しい品番を得る場合、ＰＤＭシステム上において、新設品番を仮で取得して、図面を書き始める段階からＰＤＭシステムに正式登録するようにしている。
【００２３】
これに対して、請求項７の発明ではＰＤＭ本体システムとは独立した品番登録システムを備えて、該品番登録システムの使用予定品番入力手段にて入力した使用予定品番を予め使用予定品番記憶手段に記憶させ、必要があるときに、要求手段にて、使用予定品番の送出を要求するようにしている。そして、新設品番設定手段は、この使用予定品番を取得し、設定対象の部品の品番を親品番とし、該使用予定品番を子品番としてリンクするようにしている。この結果、使用予定品番は新設品番である子品番、すなわち正規品番となり、この子品番が、ＰＤＭ本体システムに送出される。
【００２４】
このようにして、請求項７の発明は、取得された使用予定品番を新設品番にするため、確実に品番を取得できる効果がある。又、請求項７の発明は、使用予定品番を新設品番として多く取りすぎた場合、容易に返却することができる。
【００２５】
請求項８の発明によれば、設変処理識別名が付与されたデータ又はデータ群は、１つ又は複数の設変処理を設変処理単位として特定することができ、データ管理を行いやすくできる効果を奏する。
【００２６】
請求項９の発明によれば、設変処理識別名毎に設変処理が行われた部品に関するデータを設変指令書に印刷することができる。
請求項１０の発明によれば、設変処理識別名毎に設変処理が行われた部品に関するツリー構造の部品表を印刷することができる。
【００２７】
請求項１１の発明によれば、設変処理識別名毎に設変処理が行われた部品に関するデータを設変指令書に印刷することができるとともに、設変処理識別名毎に設変処理が行われた部品に関するツリー構造の部品表を印刷することができる。
【発明を実施するための最良の形態】
【００２８】
以下、本発明を、具体化した実施形態を図１〜４５を参照して説明する。
（システム）
図１（ａ）は、拡張ＰＤＭシステム全体を示している。拡張ＰＤＭシステム１０は、ＰＤＭ本体システム１００，ＰＤＭ設変システム２００、及び品番登録システム３００の各システムを備えている。ＰＤＭ本体システム１００は、サーバマシーンを構成する高速かつ、大容量のコンピュータシステムである。ＰＤＭ本体システム１００は、ＣＰＵ（中央処理装置）１０１、ＲＡＭ、通信用ボード（ともに図示しない）等を備えている。又、ＰＤＭ本体システム１００は、後述するＰＤＭデータベースＤが格納されたハードディスク１０２を備えるとともに、図示しないディスプレイや、キーボード等の入力装置を備えている。ＰＤＭ設変システム２００の役割は、品番の変更、部品表及び設変指令書の発行である。又、品番登録システム３００の役割は、新設品番を登録することである。
【００２９】
ＰＤＭ設変システム２００及び品番登録システム３００はＣＰＵ（中央処理装置）２０１，３０１、ＲＡＭ、通信用ボード（ともに図示しない）、記憶手段としてのハードディスク２０５，３０５等を備え、ＰＤＭ本体システム１００とデータ通信が可能である。又、ＰＤＭ設変システム２００のＣＰＵ２０１は、プリンタ２０６の印刷制御が可能である。ＰＤＭ設変システム２００及び品番登録システム３００は、自身のＣＰＵ２０１，３０１からの指示により、表示画面上に画像や文字列を表示するディスプレイ（表示部）２０２，３０２を備えている。
【００３０】
ＰＤＭ設変システム２００及び品番登録システム３００は、ＰＤＭ本体システム１００，ＰＤＭ設変システム２００，品番登録システム３００にそれぞれ操作者の指示を入力するための、キーボード２０３，３０３を備えている。又、ＰＤＭ設変システム２００及び品番登録システム３００は、ディスプレイ２０２，３０２の表示画面上の任意の位置をポインタにて指定し、マウス２０４，３０４の左右いずれかのボタンのクリックすると、そのときのマウスからの指令信号を入力する。この指令信号により、ポインタにて指定されたアイコン、ボタン等に応じた各種制御を行う。すなわち、マウス２０４、３０４は、右ボタン２０４Ｒ，３０４Ｒ、及び左ボタン２０４Ｌ，３０４Ｌを備えており、同ボタンによってクリック操作が可能である。
【００３１】
ＰＤＭ本体システム１００のハードディスク１０２に格納されたＰＤＭデータベースＤについて説明する。
（ＰＤＭデータベースＤ）
ＰＤＭデータベースＤは、各種製品を構成する部品の図面データ（ＣＡＤデータを含む）Ｄ０や、製品のデータのデータ管理情報Ｄ１が保持されている。データ管理情報Ｄ１は、データの属性、データの意味内容、各データのファイル名、物理的なファイル所在を示すアドレス等が含まれる。さらに、ＰＤＭデータベースＤには、製品を構成している各部品毎に、各部品に関する情報を示した部品品目情報Ｄ２を備えている。
【００３２】
部品品目情報Ｄ２は、ＰＤＭ本体システム１００のＣＰＵ１０１により、読み出されてこのデータを編集時の初期値として、ＰＤＭ設変システム２００にて取込み、編集可能である。部品品目情報Ｄ２は、部品情報（Parts  Number）ＰＮと、部品の構成情報、すなわち、部品構成情報（Parts  Structure）ＰＳとにて構成されている。
【００３３】
（前記部品情報ＰＮ）
前記部品情報ＰＮには、下記に示すデータを少なくとも備えている（図２（ａ）参照）。
【００３４】
品番、品名、来歴品番、設変番号（登録時）、設変番号（廃止時）、有効日（登録時）、失効日（登録時）、トップアッシーフラグ（前記品番がツリー形式において部品構成の最上位か否かを示すフラグ）、設変中ロックフラグ、代表品番、主ステイタス、副ステイタス、アイコン表示情報、備考，設変内容（メモ）等。
【００３５】
ここで、設変番号（登録時）は、登録時における設変番号（なお、設変Ｎｏと表記することがある）である。来歴品番は、設変により、品番が更新された場合の旧品番である。設変番号は、１つの又は複数の設変処理を行う場合のまとまり（設変処理単位）を特定するためのものである。設変番号（廃止時）は、廃止時における設変番号（設変Ｎｏ）である。ここでの有効日（登録時）は、後述する「Ｓ８０：設変承認」手続きで入力された日である。失効日（登録時）は、承認がキャンセルされたときの日付である。又、トップアッシーフラグは、部品表の単位となるか否かを識別するためのものである。このフラグがセットされていると、当該部品がツリー構造によって製品別のトップ（最上位）に位置することになり、この部品を筆頭に、部品表には下層の部品が記述されることになる。
【００３６】
設変中ロックフラグは、設変中であるときにセットされることにより、他のシステムから、同時に設変ができないようにロックするためのものである。代表品番は、多品一葉図面の表題欄に表記されている品番であり、当該品番が、多品一葉図面の表題欄に記載される場合に使用する。
【００３７】
主ステイタス、及び副ステイタスについては、後に詳述する。
アイコン表示情報には、当該品番において、主ステイタス及び副ステイタスの両ステイタスに応じたアイコンのコードが、選択されている。すなわち、該アイコン表示情報に応じたアイコンがディスプレイ２０２，３０２の表示画面に表示される。備考は、データの特記事項である。部品情報ＰＮでの、設変内容（メモ）は、設変の具体的な内容を示すデータであり、ディスプレイ２０２に設変プロパティの入力画面が表示された際に、入力可能である。
【００３８】
（部品構成情報ＰＳ）
一方、前記部品構成情報ＰＳは、下記のデータを、少なくとも備えている（図２（ｂ）参照）。
【００３９】
親品番、子品番、数量、単位、有効日（登録時）、失効日（登録時）、主ステイタス、副ステイタス、備考、設変内容（メモ）
親品番と子品番は、ツリー形式で、ディスプレイ２０２，３０２等の表示画面に表示する場合、親となる品番と子となる品番の関連付けを行うために付与されるものであり、それぞれに関係する品番のコードからなる。この関連付けが行われていることにより、関連付けされた親品番と子品番に関するデータは、階層構造となる。
【００４０】
数量及び単位は、部品構成の属性に関係するものである。数量は、例えば、親品番の部品（この場合、アッシーを意味する）に対して、子品番の部品が何個使用されるかを示す。単位は、使用される子品番の材質等に応じたものが使用される。ここでの有効日（登録時）は、後述する「Ｓ８０：設変承認」手続きで入力された日である。又、失効日（登録時）は、前記関連付けが解除された時の登録日である。
【００４１】
（主ステイタス、副ステイタス）
ここで、部品情報ＰＮ、及び部品構成情報ＰＳの主ステイタス、及び副ステイタスについて説明する。
【００４２】
主ステイタスは、ＰＤＭ本体システム１００への変更、すなわち、ＰＤＭデータベースＤへの変更状態が記してあるステイタスである。主ステイタスは、ＰＤＭデータベースＤにおける前記部品情報ＰＮ，部品構成情報ＰＳの変更履歴を表すためのものであり、「変更無し」、「新規」、「更新」、「ダミー」のＩＤコードのいずれかからなる。
【００４３】
(１)  主ステイタスの「変更無し」は、初期値として付与されるＩＤコードである。例えば、ＰＤＭ本体システム１００から、ＰＤＭ設変システム２００に一旦データが送信されて、該データにデータ更新がされずに、再度、ＰＤＭ本体システム１００のＰＤＭデータベースＤに該データが戻される場合には、そのまま初期値が保持される。
【００４４】
(２)  主ステイタスの「新規」は、データが新規に生成された場合に、ＰＤＭ本体システム１００又はＰＤＭ設変システム２００により付与されるＩＤコードである。
(３)  主ステイタスの「更新」は、ＰＤＭデータベースＤの当該設変番号に関するデータが更新された場合、ＰＤＭ本体システム１００又はＰＤＭ設変システム２００により付与されるＩＤコードである。
【００４５】
(４)  主ステイタスの「ダミー」は、ＰＤＭデータベースＤからＰＤＭ設変システム２００に送信されたデータ上に、ＰＤＭ本体システム１００において、データ更新の必要がある処理がされた際に、ＰＤＭ設変システム２００により付与されるＩＤコードである。
【００４６】
この場合、主ステイタスの「ダミー」に基づき、ＣＰＵ１０１は、ＰＤＭデータベースＤへの変更がされておらず、要変更として、ＰＤＭデータベースＤへの変更を促す旨をＰＤＭ本体システム１００の図示しないディスプレイの表示画面に表示する。又、ＰＤＭ設変システム２００，品番登録システム３００のＣＰＵ２０１，３０１においても、この主ステイタスのダミーのＩＤコードに基づいて、ディスプレイ２０２，３０２にて、要変更として、ＰＤＭデータベースＤへの変更を促す旨を表示する。本実施形態の場合、ＰＤＭデータベースＤへの変更を促す旨は、図１８に示すように「（仮）」が、品番の前に付される。
【００４７】
副ステイタスは、「変更無し」、「マイナー設変」、「メジャー設変」、「使用追加」、「使用廃止」、「新設」、「数量変更」等のＩＤコードのいずれかからなる。この副ステイタスに基づいて、後述する設変指令書の「設変事項２５５」の内容が印字される（図３８参照）。
【００４８】
(１)  副ステイタスの「変更無し」は、初期値として付与されるＩＤコードである。
(２)  副ステイタスの「マイナー設変」は、旧品番から、新品番に変更された場合、互換性がある設変を意味するために付与されるＩＤコードである。ここで、互換性があるとは、設変(設計変更)があった場合、設変後の部品が、設計前の部品と同様に使用できる場合をいう。例えば、設変対象の部品がボルトである場合、設変前のボルトと同様に設変後のボルトが使用できる場合、互換性がある。
【００４９】
(３)  副ステイタスの「メジャー設変」は、旧品番から、新品番に変更された場合、互換性がない設変を意味するために付与されるＩＤコードである。ここで、互換性がないとは、設変があった場合、設変後の部品等が、設変前の部品と同様には使用できない場合をいう。例えば、設変後の部品が、ボルトである場合、設変前のボルトと同様には設変後のボルトが使用できず、設変後のボルトを使用する場合は、このボルトに螺合するナット等にも設変が必要な場合、互換性がないという。
【００５０】
(４)  副ステイタスの「使用追加」は、すでに品番が付与された構成を、追加先の構成に対して追加する処理が行われた場合に、該品番が付与された構成に付与されるＩＤコードである。
【００５１】
(５)  副ステイタスの「使用廃止」は、すでに品番が付与された構成を、処理対象の構成から削除する処理が行われた場合に、該品番が付与された構成に付与されるＩＤコードである。なお、処理対象の構成から削除する処理とは、品番を廃止することを意味しておらず、他の品番とのツリー形式の関連付けを解消する処理のことである。
【００５２】
(６)  副ステイタスの「新設」は、新しい品番を追加先の構成に追加する処理が行われた場合に、新設された新しい品番の部品に付与されるＩＤコードである。
(７)  副ステイタスの「数量変更」は、数量が変更された場合に、該変更があった部品に付与されるＩＤコードである。
【００５３】
(８)  部品構成情報ＰＳでの、設変内容（メモ）は、子品番における設変の具体的な内容を示すデータであり、ディスプレイ２０２に設変プロパティの入力画面が表示された際に、入力可能である。
【００５４】
次に、本実施形態のＰＤＭ設変システム２００は、図示しないＲＯＭに格納されたＰＤＭ設変プログラムにより、ディスプレイ２０２上に親品番と、子品番とをツリー形式にて表示する場合、親品番と子品番の前に、アイコン表示を行うようにされている。このアイコンの表示は、図３〜図６に示すように表示される。
【００５５】
アイコンの表示は、部品情報ＰＮと部品構成情報ＰＳの各主ステイタスと副ステイタスとに基づいて設定される。
（アイコンの説明）
図３（ａ）〜（ｃ）は、該アイコンが付与された品番自身に関しては変更がないことを示すノーマルアイコンを示しており、図３（ａ）のアイコンＩ１は、トップアッシー（ＴＯＰＡＳＳＹ）のノーマルアイコンである。なお、アッシーは、組立体を意味しているが、本明細書では、部品の意味は、説明の便宜上、組立体も含めて使用している。
【００５６】
図３（ｂ）のアイコンＩ２は、トップアッシーではないアッシーであって、下位に該アッシーを構成する部品の品番があるノーマルアイコンである。
図３（ｃ）のアイコンＩ３は、下位に構成する部品の品番がない部品（コンポーネント）のノーマルアイコンである。
【００５７】
図３（ｄ）のアイコンＩ１０は、トップアッシーには変更がなく、トップアッシーの下の階層にある部品の品番において、変更があった場合の、アイコンであり、図３（ａ）の画像上に、青色のレ点（チェック）が表示されるアイコンである。
【００５８】
図４（ａ）〜（ｃ）は、該アイコンが付与された品番自身に関して変更があった品番変更済アイコンを示し、図３（ａ）〜（ｃ）の表示画像と識別可能に、識別画像（本実施形態ではレ点）が付与されている。又、識別画像には、本実施形態では、例えば赤色が付与されている。図４（ａ）のアイコンＩ４は、トップアッシー（ＴＯＰＡＳＳＹ）の品番変更済アイコンである。図４（ｂ）のアイコンＩ５は、トップアッシーではないアッシーであって、下位に該アッシーを構成する部品の品番がある品番変更済アイコンである。図４（ｃ）のアイコンＩ６は、下位に構成する部品の品番がない部品（コンポーネント）の品番変更済アイコンである。
【００５９】
図５（ａ）〜（ｃ）は、要変更アイコンを示し、図３（ａ）〜（ｃ）の表示画像に対して、枠で囲むようにしたアイコンにて構成されている。この枠は、着色されていることが好ましい。本実施形態では、赤色の枠とされている。図５（ａ）のアイコンＩ７は、トップアッシー（ＴＯＰＡＳＳＹ）の要変更アイコンである。図５（ｂ）のアイコンＩ８は、トップアッシーではないアッシーであって、下位に該アッシーを構成する部品の品番がある要変更アイコンである。図５（ｃ）のアイコンＩ９は、下位に構成する部品の品番がない部品（コンポーネント）の要変更アイコンである。
【００６０】
図６（ａ）〜（ｃ）は、該アイコンが付与された品番自身に関しては変更がない変更、例えば、属性等の変更があった場合に付される変更済アイコンを示している。このアイコンは、図４（ａ）〜（ｃ）の各品番変更済アイコンと識別できるように識別画像が異なる色で着色されている（本実施形態ではレ点）。又、識別画像に付与される色は本実施形態では、例えば緑色が付与されている。
【００６１】
図６（ａ）のアイコンＩ１１は、トップアッシー（ＴＯＰＡＳＳＹ）の変更済アイコンである。図６（ｂ）のアイコンＩ１２は、トップアッシーではないアッシーであって、下位に該アッシーを構成する部品の品番がある変更済アイコンである。図６（ｃ）のアイコンＩ１３は、下位に構成する部品の品番がない部品（コンポーネント）の変更済アイコンである。
【００６２】
アイコンＩ１〜Ｉ１３の表示は、部品情報ＰＮと部品構成情報ＰＳの各主ステイタスと副ステイタスとを基準にして、予め設定された規則に基づいて設定される。そして、部品情報ＰＮの各ステイタスと部品構成情報ＰＳから設定されるステイタスが競合する場合には、下記のように優先順位が設定されており、優先順位の高い方が各システムのＣＰＵに選択されてディスプレイ２０２等に表示される。
【００６３】
（アイコン優先順位）
（Ｉ４，Ｉ５，Ｉ６）＞（Ｉ７，Ｉ８，Ｉ９）＞（Ｉ１１，Ｉ１２，Ｉ１３）＞（Ｉ１，Ｉ２，Ｉ３，Ｉ１０）
（作用）
次に、拡張ＰＤＭシステム１０の作用について説明する。図７は、拡張ＰＤＭシステム１０のＰＤＭ設変システム２００の操作フローチャートを示している。又、図８〜図３６、及び図４１は、ＰＤＭ設変システム２００のディスプレイ２０２に映し出される表示画面を示している。なお、表示画像を変更する際に、説明がされている場合以外は、説明の便宜上、図示や詳細な説明を省略するが、ディスプレイ２０２の表示画面を切り換えるための操作を、マウス２０４又はキーボード２０３にて操作者は行っているものとする。
【００６４】
（Ｓ１０：設変Ｎｏ（設変番号）取得）
まず、Ｓ１０において、ＰＤＭ設変システム２００のＰＤＭ設変プログラムを起動すると、ディスプレイ２０２の表示画面に初期メニューが表示される。なお、前記ＰＤＭ設変プログラムは、ＰＤＭ設変システム２００が備えているＲＯＭ（図示しない）に予め格納されている。ＣＰＵ２０１は、該プログラムに基づいてディスプレイ２０２上の各種ボタン等の押圧操作に応じて、各種データの入出力を行うとともに、下記の各種表示制御を行う。
【００６５】
前記初期メニューは、図８に示すように設変Ｎｏ取得ボタン２０、設変処理ボタン３０、印刷・回覧ボタン１５、設変承認ボタン５０、設変Ｎｏ台帳ボタン６０、ＰＤＭ検索ボタン７０及び終了ボタン８０を備えている。これらのボタンは、ポインタにて指定された状態で、マウス２０４の左ボタン２０４Ｌがクリック操作されることにより、該ポインタにて指定されているボタンに応じた指示がＰＤＭ設変システム２００に入力される。なお、上記表示画面上のボタン操作や後述する表示画面上での各種ボタンに対する、マウス２０４の左ボタン２０４Ｌによるクリック操作を、説明の便宜上、単に押下する、又は押下されるという。
【００６６】
（Ｓ２０：設変Ｎｏの取得）
次に、Ｓ２０において、設変Ｎｏ取得ボタン２０が押下されると、ＰＤＭ設変システム２００のＣＰＵ２０１は、ディスプレイ２０２の表示画面に対して図９に示すように「設変指令書Ｎｏ台帳」の画像の表示を行う。設変指令書Ｎｏ台帳の表示領域には、設変Ｎｏ入力欄２１、担当設計入力欄（担当設計部署入力欄）２２ａ、担当者名入力欄２２ｂ、登録日入力欄２３、登録ボタン２４、キャンセルボタン２５が表示される。各入力欄に対して、操作者がキーボード２０３により、設変Ｎｏ、担当者名、及び登録日を入力し、登録ボタン２４を押下すると、ＣＰＵ２０１は、設変Ｎｏ、担当者名、及び登録日を取得して、ハードディスク２０５に格納し、図８の初期メニューを表示する。
【００６７】
（Ｓ３０：設変対象ツリーの処理）
次に、Ｓ３０の設変対象ツリーの取得のための操作を操作者は行う。具体的には、図８の初期メニューにおいて、設変処理ボタン３０を押下する。ＣＰＵ２０１は、設変処理ボタン３０の押下に応じた指令に基づいてディスプレイ２０２の表示画面に対して図１０に示すように「設変Ｎｏ選択」の画像を表示する。
【００６８】
「設変Ｎｏ選択」の画像は、選択設変Ｎｏ入力欄３１、設変Ｎｏ表示欄３２、設変開始ボタン３３、及び戻りボタン３４を備えている。ＣＰＵ２０１は、設変Ｎｏ表示欄３２にＳ１０で取得した設変Ｎｏを表示する。なお、図１０では、ハードディスク２０５内に記憶していた複数の設変Ｎｏ、担当者名（図面では、作成者欄に表示）が表示されている。操作者は、キーボード２０３を使用して、選択設変Ｎｏ入力欄３１に設変Ｎｏを入力する。そして、操作者が設変開始ボタン３３を押下すると、ＣＰＵ２０１は、選択設変Ｎｏ入力欄３１に入力された設変Ｎｏを、ＲＡＭに一旦格納するとともに、図１１に示すＰＤＭ設変対象品番検索の画像をディスプレイ２０２の表示画面に表示する。
【００６９】
以後、選択した１つの設変Ｎｏに対応して、少なくとも１つ、又は２つ以上の複数の設変処理を行うことができる。
図１１のＰＤＭ設変対象品番検索の画像は、品番入力欄３５と、検索ボタン３６を備える。操作者は、品番入力欄３５にキーボード２０３にて設変したい設変対象品番を入力し、検索ボタン３６を押下する。ＣＰＵ２０１は、品番入力欄３５に入力された品番をＰＤＭ本体システム１００に出力し、ＰＤＭ本体システム１００からの応答を待つ。キーボード２０３は設変対象品番入力手段に相当する。
【００７０】
ＰＤＭ本体システム１００のＣＰＵ１０１は、入力した設変対象品番を前記ＰＤＭデータベースＤから検索し、該設変対象品番を含む部品の品番に関する部品品目情報（部品情報ＰＮと、部品構成情報ＰＳを含む）及び該品番と親子関係にある部品の部品情報ＰＮ，部品構成情報ＰＳをＰＤＭ設変システム２００に出力する。このように、入力した設変対象品番を前記ＰＤＭデータベースＤから検索し、検索結果として、ＰＤＭ設変システム２００に出力された情報は、互いに関連付けがされたデータベースであり、以後このデータベースを仮データベースという。
【００７１】
ＰＤＭ設変システム２００のＣＰＵ２０１は、ＰＤＭ本体システム１００から入力した該設変対象品番を含む部品の品番に関する部品品目情報Ｄ２（部品情報ＰＮと、部品構成情報ＰＳを含む）を、ハードディスク２０５に格納する。又、ＣＰＵ２０１は、図１２に示すように、前記ＰＤＭデータベースＤから検索して取得した設変対象品番を含む親子関係の全ての部品の品番（ここでは、説明の便宜上、アッシー品番という）をディスプレイ２０２のアッシー一覧表の画像に表示する。
【００７２】
アッシー一覧表の画像は、アッシー一覧表示領域３７、選択アッシー入欄３８、出図案内リストボタン３９を備えている。又、アッシー一覧表の画像には、ツールバー部分にツリー表示コマンドをＣＰＵ２０１に付与するツリー表示ボタン４０が設けられている。
【００７３】
なお、図１２〜１４，図１６〜１９、図２２〜２３、図２５〜３０においては、アイコンの表示が小さくなるため、説明の便宜上、アイコンの代わりにアイコンに対応するＩ１〜Ｉ１３（符号）を付して図示している。従って、Ｉ１〜Ｉ１３のいずれかが、前記図に示されている場合、実際には前述した図３〜図６で示すアイコンＩ１〜Ｉ１３を表示しているものと理解されたい。なお、以後の説明では、詳説しないがアッシー一覧表示領域３７を始め、後述する各表示領域の各部品に関する表示は、ＰＤＭデータベースＤからＣＰＵ２０１が取得した各種情報に基づいて行われる。
【００７４】
操作者は、図１２において、アッシー一覧表示領域３７に表示されているアッシー品番の中から設変するアッシー品番をポインタにて指し示し、この状態でマウス２０４の左ボタン２０４Ｌをクリックすることにより、選択する。続いて、ツリー表示ボタン４０を押下すると、ＣＰＵ２０１は、ディスプレイ２０２の画面を図１３で示すツリー操作画像を表示する。
【００７５】
ツリー操作画像は、左側に示されるツリー表示領域４１と、右側に示されるリスト表示領域４２を備えている。ツリー表示領域４１は、部品構成のツリー（構成ツリー）が表示される領域であり、「＋」の部分をポインタを当てた状態でマウス２０４の左ボタン２０４Ｌをクリックすると、それ以下の下位階層部分に位置する部品のツリーが表示されて、「＋」部分は、「−」表示に変わる。従って、「−」は、下位階層のツリー表示がされていることを示している。又、「−」の部分をポインタを当てた状態でマウス２０４の左ボタン２０４Ｌをクリックすると、再び、「＋」に変わり、それ以下の下位階層部分に位置する部品の表示が消滅してツリー表示が解消される。
【００７６】
リスト表示領域４２は、部品リストに相当し、ツリー表示領域４１に表示された部品と連動するようにリストアップして表示する。又、リスト表示領域４２には、品番に対する属性値を示す欄も設けられている。図１３では、品番に対応して、属性値として品名が表示されている。又、リスト表示領域４２において、Ｎｏ欄４３は、上位階層からの単純な順番を示し、ＬＶＬ欄（レベル欄）４４は、トップアッシーからの階層レベルを示している。図１３に示す例では、ＬＶＬの「１」〜「５」までが、示されている。ＬＶＬ（レベル）は、当該品番からトップアッシーまでのそれぞれ品番の親子関係を示す部品構成情報ＰＳに基づいて算出される。又、図１３に示す例では、品番「ＥＥＥ０１」は、ツリー表示領域４１では示されていないが、品番「ＤＤＤ０１」の下位階層に位置し、リスト表示領域４２で表示されている。
【００７７】
（Ｓ４０：設変処理の実施）
次に、Ｓ４０では、設変処理の実施を行う。具体的には、操作者は、先ず、図１３のツリー操作画像が表示されている状態で、ツリー表示領域４１に位置する品番であって、設変処理を行いたい品番（設変対象品番）をポインタを当ててマウス２０４の左ボタン２０４Ｌをクリックする。すると、ＣＰＵ２０１は、その品番が選択されたものとしてアクティブにする。
【００７８】
図１３の例では、品番「ＣＣＣ０１−ＰＡ００２−Ａ−１」をアクティブにしたものとする。品番をアクティブにした状態で、マウス２０４の右ボタン２０４Ｒをクリックすると、ＣＰＵ２０１は、図１４に示す設変メニュー５１の表示画像をディスプレイ２０２に表示する。設変メニュー５１は、設変処理項目メニューに相当する。設変メニュー５１は、設変処理項目としてマイナー設変ボタン５１ａ、メジャー設変ボタン５１ｂ、使用追加ボタン５１ｃ、使用廃止ボタン５１ｄ、新設ボタン５１ｅ、数量変更ボタン５１ｆ、属性変更ボタン５１ｇ及び設変プロパティボタン５１ｈを備えている。
【００７９】
なお、ここで、本実施形態における品番のルールについて説明する。品番「ＣＣＣ０１−ＰＡ００２−Ａ−１」のうち、「Ａ−１」」よりも前の部分、この例では、「ＣＣＣ０１−ＰＡ００２」がコアの部分であり、部品毎に予め決められた所定の品番表等に基づいて設定される。「Ａ−１」のうち、「Ａ」の部分は、メジャー記号Ａ〜Ｚが付与されるところであり、メジャー設変がある毎にＡ〜Ｚの順に変更される。同部分はメジャー設変の履歴を示す。又、末位（本実施形態では、「Ａ−１」の末位の「１」部分）は、マイナー記号１〜９が付与される部分であり、マイナー設変の場合に昇順に変更される。「Ａ−１」の部分中、「Ａ」が記載される桁，及び「１」が記載される桁は、それぞれ、設変履歴、すなわち、図面の履歴を表す。
【００８０】
１）  マイナー設変
マイナー設変の例を図１４〜図１６を参照して説明する。マイナー設変は、設変前と設変後の部品に互換性がある場合になされる。
【００８１】
上記のように設変対象品番をアクティブにした状態で、設変メニュー５１を表示し、設変メニュー５１中の、マイナー設変ボタン５１ａを押下する（図１４参照）。ＣＰＵ２０１は、マイナー設変ボタン５１ａに対する押下、すなわち、マウスの左ボタンのクリックによる指令信号に応じて、ディスプレイ２０２上に、図１５に示すように、マイナー設変後の品番表示画像を表示する。図１５に示すマイナー設変後の品番表示画像は、マイナー設変後の品番の表示領域５２、ＯＫボタン５３、及びキャンセルボタン５４を備えている。
【００８２】
操作者が、ＯＫボタン５３を押下すると、ＣＰＵ２０１は、下記の処理を行う。
（ａ）設変対象品番に関する部品情報ＰＮと部品構成情報ＰＳの、品番をマイナー設変するように、書き換える。具体的には、品番中のマイナー記号を１加算する。
【００８３】
（ｂ）設変対象品番に関する部品情報ＰＮに含まれるアイコン表示情報のアイコンのコードを、アイコンＩ２からアイコンＩ５に変更する。
（ｃ）最上位階層の品番の部品情報ＰＮに含まれるアイコンのコードを、アイコンＩ１からアイコンＩ１０に変更する。
【００８４】
（ｄ）設変対象品番に関係する部品情報ＰＮに、Ｓ２０で取得した設変番号（登録時）を含ませる。
（ｅ）設変対象品番に関する部品情報ＰＮの設変中ロックフラグをセットする。
【００８５】
そして、ＣＰＵ２０１は上記処理に基づいて、ディスプレイ２０２に設変対象品番のアイコンＩ５（図４（ｂ）参照）を表示するとともに、最上位階層の品番のアイコンＩ１０（図３（ｄ）参照）を表示する。すなわち、設変対象品番のアイコンは、赤色の識別画像であるレ点を備えた変更済アイコンに変更され、最上位階層の品番のアイコンは、ツリー形式で表された構成内に、設変があったことを知らせる青色の識別画像であるレ点を備えた変更済アイコンに変更される（図１６参照）。
【００８６】
２）  メジャー設変
メジャー設変の例を図１３、図１７、図１８を参照して説明する。
本実施形態では、メジャー設変は、図１３において、「ＦＦＦ０１−ＨＧ００２−Ａ−１」を設変対象品番として説明するとともに、説明の便宜上、前記マイナー設変に続けて、メジャー設変を、設変Ｎｏ１２３４５で行うものとする。
【００８７】
設変対象品番をアクティブにした状態で、設変メニュー５１を表示し、設変メニュー５１中の、メジャー設変ボタン５１ｂを押下する。
ＣＰＵ２０１は、メジャー設変ボタン５１ｂに対する押下、すなわち、マウスの左ボタンのクリックによる指令信号に応じて、設変対象品番をＰＤＭ本体システム１００に出力し、ＰＤＭ本体システム１００からの応答を待つ。ＰＤＭ本体システム１００のＣＰＵ１０１は、入力した設変対象品番を前記ＰＤＭデータベースＤから検索し、該設変対象品番を含むアッシーの品番に関する部品品目情報（部品情報ＰＮと、部品構成情報ＰＳを含む）をＰＤＭ設変システム２００に出力する。ＰＤＭ設変システム２００のＣＰＵ２０１は、ＰＤＭ本体システム１００から入力した該設変対象品番を含むアッシーの品番に関する部品品目情報（部品情報ＰＮと、部品構成情報ＰＳを含む）を、ハードディスク２０５に格納する。
【００８８】
又、ＣＰＵ２０１は、図１７に示すように、前記ＰＤＭデータベースＤから検索して取得した設変対象品番を含む全てのアッシーの品番（アッシー品番）をディスプレイ２０２のアッシー一覧表の画像に表示する。アッシー一覧表の画像は、設変対象のアッシーを表示するアッシー品番欄４５、変更前の品番を表示する変更前品番表示欄４６、変更後の品番を表示する変更後品番表示欄４７を備えている。
【００８９】
ここで、図１７に示す設変対象のアッシー品番欄４５（図１７では、ＡＳＳＹ品番で図示）の中から、操作者が、ポインタにて設変対象のアッシー品番を選択し、マウス２０４の左ボタン２０４Ｌをクリックすると、ＣＰＵ２０１は、選択されたアッシーの中から、該当する設変対象品番等を書き換える。
【００９０】
具体的には、下記の処理を行う。
（ａ）設変対象品番に関係する部品情報ＰＮと部品構成情報ＰＳの、品番をメジャー設変するように、書き換える。具体的には、品番中のメジャー記号を変更する。
【００９１】
（ｂ）設変対象品番（図１８の例では、「ＦＦＦ０１−ＨＧ００２−Ｂ−１」）の部品情報ＰＮに含まれるアイコンのコードを、アイコンＩ３からアイコンＩ６に変更する。
（ｃ）最上位階層の品番（図１８の例では、「ＡＡＡ０１−ＮＡ００１−Ａ」）の部品情報ＰＮに含まれるアイコンのコードを、アイコンＩ１からアイコンＩ１０に変更する。
【００９２】
（ｄ）直上位階層の品番の部品情報ＰＮに含まれるアイコンのコードを、アイコンＩ２からアイコンＩ８に変更する。
（ｅ）設変対象品番に関係する部品情報ＰＮに、Ｓ２０で取得した設変番号（登録時）を含ませる。
【００９３】
そして、ＣＰＵ２０１は上記処理に基づいて、ディスプレイ２０２に設変対象品番のアイコンＩ６（図４（ｃ）参照）を表示し、直上位階層の品番のアイコンＩ８（図５（ｂ）参照）を表示する。この場合、直上位階層の品番の後に「（仮）」も表示する。さらに、ＣＰＵ２０１は、最上位階層の品番のアイコンＩ１０（図３（ｄ）参照）を表示する。すなわち、設変対象品番のアイコンは、赤色の識別画像であるレ点を備えた変更済アイコンに変更され、最上位階層の品番のアイコンは、ツリー形式で表された構成内に、設変があったことを知らせる青色の識別画像であるレ点を備えた変更済アイコンに変更される。又、直上位階層の品番は、要変更アイコンであるアイコンＩ８が表示されることにより、ＰＤＭ本体システム１００において、設変が必要なことを促す。さらに、又、直上位階層の品番の後に「（仮）」が表示されることによっても、ＰＤＭ本体システム１００において、設変が必要なことを促す（図１８参照）。
【００９４】
３）使用追加
使用追加の例を図１９〜図２３を参照して説明する。
本実施形態では、使用追加は、図１９において、「ＢＢＢ０１−ＭＢ００２−Ａ−２」を設変対象品番として説明するとともに、説明の便宜上、設変Ｎｏ１２３４５で行うものとする。
【００９５】
なお、使用追加の場合は、この設変処理を行う以前に、追加される先の部品の品番（すなわち、親品番）を予めマイナー設変しておくものとする。図１９の例では、「ＢＢＢ０１−ＭＢ００２−Ａ−２」は既にマイナ設変が行われたときの品番である。この追加される先の部品に係る親品番のマイナー設変により、最上位階層の品番（この例では、「ＡＡＡ０１−ＮＡ００１−Ａ−１」）のアイコンが、Ｉ１０（図３（ｄ）参照）に変更される。
【００９６】
上記のように、親品番となる品番は、マイナー設変により、「ＢＢＢ０１−ＭＢ００２−Ａ−２」となっており、従って、該品番のアイコンはＩ５（図４（ｂ）参照）となっている。又、最上位階層の（トップアッシー）の品番「ＡＡＡ０１−ＮＡ００１−Ａ−１」のアイコンは、Ｉ１０（図３（ｄ）参照）になっている。
【００９７】
先ず、追加する先の親品番（設変完了品番）をポインタで選択し、マウス２０４の右ボタン２０４Ｒをクリックして、設変メニュー５１（図１９では図示しない）を表示し、設変メニュー５１中の、使用追加ボタン５１ｃを押下する。図１９に示す例では、品番「ＢＢＢ０１−ＭＢ００２−Ａ−２」を追加する先の親品番としている。ＣＰＵ２０１は、前記使用追加ボタン５１ｃに対する押下、すなわち、マウスの左ボタンのクリックによる指令信号に応じて、ディスプレイ２０２上に、図２０に示すように、使用追加の表示画像を表示する。図２０に示す使用追加の画像は、使用追加の表示領域５５、ＯＫボタン５６、及びキャンセルボタン５７を備えている。操作者がＯＫボタン５６をマウス２０４の左ボタン２０４Ｌにてクリックすると、ＣＰＵ２０１は、ディスプレイ２０２の表示画面に図２１に示す使用追加品番の検索画像を表示する。
【００９８】
使用追加品番の検索画像は、検索品番入力欄５８、ＰＤＭ検索ボタン５９、ツリー表示領域６１、リスト表示領域６２、閉じるボタン６３を備える。検索品番入力欄５８に、操作者は、使用追加したい品番を検索品番入力欄５８にキーボード２０３にて入力し、ＰＤＭ検索ボタン５９をクリック（押下）する。ＣＰＵ２０１は、ＰＤＭ検索ボタン５９に対する押下、すなわち、マウスの左ボタンのクリックによる指令信号に応じて、使用追加したい品番（検索品番）をＰＤＭ本体システム１００に出力し、ＰＤＭ本体システム１００からの応答を待つ。
【００９９】
ＰＤＭ本体システム１００のＣＰＵ１０１は、使用追加したい品番（検索品番）を前記ＰＤＭデータベースＤから検索し、使用追加したい品番（検索品番）を含むアッシーの品番に関する部品品目情報（部品情報ＰＮと、部品構成情報ＰＳを含む）をＰＤＭ設変システム２００に出力する。ＰＤＭ設変システム２００のＣＰＵ２０１は、ＰＤＭ本体システム１００から入力した使用追加したい品番（検索品番）を含むアッシーの品番に関する部品品目情報（部品情報ＰＮと、部品構成情報ＰＳを含む）を、ハードディスク２０５に格納する。
【０１００】
又、ＣＰＵ２０１は、図２２に示すように、前記ＰＤＭデータベースＤから検索して取得した使用追加したい品番（検索品番）を含む全てのアッシーの品番（アッシー品番）を、部品情報ＰＮに基づいてそのアイコンとともに使用追加品番の検索画像のツリー表示領域６１、リスト表示領域６２に表示する。
【０１０１】
ここでは、操作者は、ツリー表示領域６１、リスト表示領域６２のいずれかの表示された品番の中から、ポインタにて品番を選択してマウス２０４の右ボタン２０４Ｒをクリックする。すると、ＣＰＵ２０１は、その品番が選択されたものとして図示しない使用追加メニューを表示する。操作者がこの使用追加メニューの中の使用追加ボタン（図示しない）を押下すると、ＣＰＵ２０１は、下記の処理を行う。
【０１０２】
（ａ）使用追加したい品番（図２３の例では、「ＴＵＩＫＡ−ＭＫ００１−Ａ」）の部品情報ＰＮに含まれるアイコンのコードを、アイコンＩ２からアイコンＩ５に変更する。なお、このアイコンのコードの変更は、図２２の場合、すなわち、使用追加したい品番が親品番となっていて、下位階層に子品番（図２３の例では、「ＴＵＩＫＡ−ＭＫ００２−Ａ」）がある例である。
【０１０３】
（ｂ）使用追加したい品番と追加する先の品番の部品構成情報ＰＳを、親子関係となる品番の部品情報ＰＮ等に基づいて生成する。
（ｃ）使用追加したい品番と追加する先の品番に関係する部品情報ＰＮに、Ｓ２０で取得した設変番号（登録時）を含ませる。
【０１０４】
そして、図２３に示すようにＣＰＵ２０１は上記処理に基づいて、ディスプレイ２０２のアッシー一覧表の画像に使用追加した品番のアイコンＩ５（図４（ｂ）参照）を表示する。又、ＣＰＵ２０１は、最上位階層の品番のアイコンＩ１０（図３（ｄ）参照）を表示する。すなわち、設変対象品番のアイコンは、赤色の識別画像であるレ点を備えた変更済アイコンに変更され、最上位階層の品番のアイコンは、ツリー形式で表された構成内に、設変があったことを知らせる青色の識別画像であるレ点を備えた変更済アイコンが表示される（図２３参照）。
【０１０５】
４）使用廃止
なお、図示はしないが、使用廃止の場合について説明する。
使用廃止の場合は、この設変処理を行う以前に、廃止される品番の親品番を予めマイナー設変をしておくものとする。従って、予め行われるマイナー設変により、最上位階層の品番のアイコンは、Ｉ１０（図３（ｄ）参照）に変更される。
【０１０６】
操作者は、使用廃止する品番をポインタで選択し、マウス２０４の右ボタン２０４Ｒをクリックする。ＣＰＵ２０１は、このクリックによる指令信号に応じて、設変メニュー５１を表示する。続いて、操作者は、設変メニュー５１中の、使用廃止ボタン５１ｄを押下する。使用廃止ボタン５１ｄに対する押下、すなわち、マウスの左ボタンのクリックによる指令信号に応じて、ＣＰＵ２０１は、ディスプレイ２０２の表示画面から使用廃止品番の表示をなくする。
【０１０７】
この場合、ＣＰＵ２０１は、下記の処理を行う。
（ａ）使用廃止したい品番の部品情報ＰＮに含まれるアイコンのコードを、品番が、トップアッシーか、トップアッシーではないアッシーか、下位に構成する部品の品番がない部品（コンポーネント）かに応じて、該当するノーマルアイコンのコードに変更する。
【０１０８】
（ｂ）使用廃止した品番と親品番の部品構成情報ＰＳを削除する。
（ｃ）使用廃止した品番と親品番に関係する部品情報ＰＮに、Ｓ２０で取得した設変番号（登録時）を含ませる。
【０１０９】
５）新設
新設の例を、図１９、図２４，図２５を参照して説明する。
新設の場合は、この設変処理を行う以前に、親品番となる品番を予めマイナー設変をしておくものとする。従って、予め行われる親品番のマイナー設変により、最上位階層の品番のアイコンは、Ｉ１０（図３（ｄ）参照）に変更される。
【０１１０】
ここでは、使用追加の設変と同様に、図１９に示すように親品番となる品番は、「ＢＢＢ０１−ＭＢ０００２−Ａ−２」とする。従って、該品番のアイコンはＩ５（図４（ｂ）参照）となっており、トップアッシーの品番「ＡＡＡ０１−ＮＡ００１−Ａ−１」のアイコンは、Ｉ１０（図３（ｄ）参照）になっている。なお、説明の便宜上、設変Ｎｏは、説明の便宜上、使用追加と同じものを使用する。
【０１１１】
先ず、操作者は追加する先の親品番（設変完了品番）をポインタで選択し、マウス２０４の右ボタン２０４Ｒをクリックする。ＣＰＵ２０１は、このクリックによる指令信号に応じて、設変メニュー５１（図１９では図示しない。図１４を参照）を表示する。そして、操作者は、設変メニュー５１中の、新設ボタン５１ｅを押下する。
【０１１２】
ＣＰＵ２０１は、新設ボタン５１ｅに対する押下、すなわち、マウス２０４の左ボタン２０４Ｌのクリックによる指令信号に応じて、ＰＤＭ本体システム１００に対して、浮遊品番の要求指令を送信し、使用予定品番としての浮遊品番を格納している浮遊品番データファイルの読み出しを指示する。ＰＤＭ本体システム１００は、この指示に応じて、ハードディスク１０２から浮遊品番を格納している浮遊品番データファイルの読み出しを行い、ＣＰＵ２０１に浮遊品番及び該浮遊品番に関連付けされたパーツ名のデータを出力する。
【０１１３】
ＣＰＵ２０１は、その浮遊品番及びパーツ名をハードディスク２０５に格納する。さらに、ＣＰＵ２０１は、入力した浮遊品番に基づいて、ディスプレイ２０２上に、図２４に示すように浮遊品番及びパーツ名の取得確認画像を表示する。図２４では、「品番の欄は、浮遊品番が表示され、「品名」の欄にパーツ名が表示されている。なお、浮遊品番の登録の仕方については、後述する。
【０１１４】
浮遊品番の取得確認画像は、図２４に示すように品名を表示する浮遊品番一覧表示領域６４を備えている。操作者は、表示画面に表示された浮遊品番の中で、追加する浮遊品番、すなわち、新設のために追加する品番をポインタで選択し、マウス２０４の右ボタン２０４Ｒをクリックする。この例では、品番「ＳＨＩ００２−Ｕ００１」を選択する。ＣＰＵ２０１は、マウス２０４の右ボタン２０４Ｒのクリックによる指令信号に応じて図２４に示すように追加ボタン６７を備える操作メニュー６６を表示する。続いて、操作者は、操作メニュー６６中の追加ボタン６７を押下する。この追加ボタン６７によるマウス２０４の左ボタン２０４Ｌのクリックによる指令信号に基づいて、ＣＰＵ２０１は、図２５に示すように、新設追加する品番を、部品情報ＰＮに基づいてそのアイコンとともにツリー操作画像のツリー表示領域４１、リスト表示領域４２に表示する。
【０１１５】
なお、操作者が追加ボタン６７を押下したとき、ＣＰＵ２０１は、下記の処理を行う。
（ａ）新設品番の部品情報ＰＮのファイルを作成し、アイコン表示情報のアイコンのコードを、アイコンＩ６とする。なお、このアイコンのコードは、図２５の場合、すなわち、新設品番には、下位階層に子品番がない例である。
【０１１６】
（ｂ）新設品番と追加する先の品番の部品構成情報ＰＳを生成する。
（ｃ）新設品番と追加する先の品番に関係する部品情報ＰＮに、Ｓ２０で取得した設変番号（登録時）を含ませる。
【０１１７】
このようにして、図２５に示すようにＣＰＵ２０１は上記処理に基づいて、ディスプレイ２０２のアッシー一覧表の画像に新設品番（本実施形態では、「ＳＨＩ００２−ＵＪ００１」）のアイコンＩ６（図４（ｃ）参照）を表示する。又、ＣＰＵ２０１は、最上位階層の品番（本実施形態では、「ＡＡＡ０１−ＮＡ００１−Ａ−１」）のアイコンＩ１０（図３（ｄ）参照）を表示する。すなわち、新設品番のアイコンは、赤色の識別画像であるレ点を備えた変更済アイコンに変更され、最上位階層の品番のアイコンは、ツリー形式で表された構成内に、設変があったことを知らせる青色の識別画像であるレ点を備えた変更済アイコンが表示される（図２５参照）。
【０１１８】
なお、新設品番の取りすぎ等により、新設品番の使用を中止する場合には、前記使用廃止と同様の手続き処理を行う。この処理により、新設品番の使用が中止され、ＣＰＵ２０１は、ＰＤＭ本体システム１００に対して、新設品番（即ち、浮遊品番）を送信する。ＰＤＭ本体システム１００のＣＰＵ１０１は、返却された浮遊品番を浮遊品番データファイルに書き戻す。ＣＰＵ２０１は、要求手段及び新設品番設定手段に相当する。
【０１１９】
６）数量変更
数量変更の例を図２６〜図２９を参照して説明する。ここでの数量とは、親品番の部品（アッシーを含む）に対する子品番（アッシーを含む）の部品の数のことである。
【０１２０】
数量変更の場合は、この処理を行う以前に、数量が変更される品番の親品番（本実施形態では、「ＢＢＢ０１−ＭＢ００２−Ａ−２」）を予めマイナー設変をしておくものとする。数量が変更される品番に係る親品番のマイナー設変により、最上位階層の品番（本実施形態では、「ＡＡＡ０１−ＮＡ００１−Ａ−１」）のアイコンは、図１３に示すように、Ｉ２からＩ１０（図３（ｄ）参照）に変更される。
【０１２１】
従って、以下の説明では、親品番となる品番は、マイナー設変により、「ＢＢＢ０１−ＭＢ００２−Ａ−２」となっており、従って、該品番のアイコンはＩ５（図４（ｂ）参照）となっており、トップアッシーの品番「ＡＡＡ０１−ＮＡ００１−Ａ−１」のアイコンは、Ｉ１０（図３（ｄ）参照）になっているものとする。なお、説明の便宜上、設変Ｎｏは、新設の説明と同じものを使用する。
【０１２２】
先ず、数量変更する品番をポインタで選択し、マウス２０４の右ボタン２０４Ｒをクリックして、設変メニュー５１（図２６では図示しない）を表示させ、設変メニュー５１中の、数量変更ボタン５１ｆを押下する。図２６に示す例では、品番「ＦＦＦ０１−ＨＧ００２−Ｂ−１」を数量変更する品番としている。ＣＰＵ２０１は、数量変更ボタン５１ｆに対する押下、すなわち、マウスの左ボタン２０４Ｌのクリックによる指令信号に応じて、ディスプレイ２０２上に、図２７に示すように、数量変更画像を表示する。
【０１２３】
図２７に示す数量変更画像は、品番リスト領域６８、現在の数量表示欄６９、数量入力欄７１、変更ボタン７２及び閉じボタン７３を備えている。又、品番リスト領域６８には、品番表示部６８ａ、変更前数量表示部６８ｂ，及び変更後数量表示部６８ｃを備える。
【０１２４】
操作者は、品番表示部６８ａにリストアップされた品番のうち、数量変更する品番をポインタで選択して、左ボタン２０４Ｌにてクリックしてアクティブにする。次に、操作者は、数量入力欄７１に変更する数量をキーボード２０３にて入力し、変更ボタン７２を押下する。すると、ＣＰＵ２０１は、変更ボタン７２の押下に応じて、数量変更する品番と該品番の親品番に関する部品構成情報ＰＳ内の数量を数量入力欄７１に入力した数量に変更する。
【０１２５】
そして、ＣＰＵ２０１は、図２８に示すように、数量変更画像において、数量変更する品番に対応する変更後数量表示部６８ｃに変更後の数量を表示する。この画面を確認した後、操作者が閉じボタン７３を押下すると、ＣＰＵ２０１は、図２９に示すようにディスプレイ２０２にアッシー一覧表の画像を表示する。
【０１２６】
又、操作者が変更ボタン７２を押下したとき、ＣＰＵ２０１は下記の処理を行う。
（ａ）数量変更を行った品番（本実施形態では、「ＦＦＦ０１−−ＨＧ００２−Ｂ−１」）の部品情報ＰＮに含まれるアイコン表示情報のアイコンのコードを、アイコンＩ１３に変更する。なお、このアイコンのコードの変更は、図２９の場合、下位階層に子品番がない例である。
【０１２７】
（ｂ）数量変更を行った品番の部品情報ＰＮに、Ｓ２０で取得した設変番号（登録時）を含ませる。
このようにして、図２９に示すようにＣＰＵ２０１は上記処理に基づいて、ディスプレイ２０２に設変した品番のアイコンＩ１３（図６（ｃ）参照）を表示する。又、ＣＰＵ２０１は、最上位階層の品番のアイコンＩ１０（図３（ｄ）参照）を表示する。すなわち、設変対象品番のアイコンは、緑色の識別画像であるレ点を備えた変更済アイコンに変更され、最上位階層の品番のアイコンは、ツリー形式で表された構成内に、設変があったことを知らせる青色の識別画像であるレ点を備えた変更済アイコンが表示される（図２９参照）。
【０１２８】
７）属性変更
なお、図示はしないが、属性変更の場合について説明する。
操作者は、属性変更する品番をポインタで選択し、マウス２０４の右ボタン２０４Ｒをクリックする。ＣＰＵ２０１は、このクリックによる指令信号に応じて、設変メニュー５１を表示する。続いて、操作者は、設変メニュー５１中の、属性変更ボタン５１ｇを押下する（図１４参照）。
【０１２９】
属性変更ボタン５１ｇの押下に応じて、ＣＰＵ２０１は、ディスプレイ２０２の表示画面に属性入力のための各種属性入力欄を複数備えた表示画像を表示する。
続いて、操作者は、キーボード２０３により、前記各種属性入力欄のうち、属性の変更が必要なところの属性入力欄に属性データを入力する。この場合、属性には、部品情報ＰＮを構成する情報、例えば、品名、備考等が含まれる。
【０１３０】
そして、各種属性入力欄とともに表示画像に設けられた、更新ボタン（図示しない）が押下されることにより、ＣＰＵ２０１は、下記の（ａ）〜（ｃ）の処理を行い、データを更新する。この後、操作者が図示しない閉じボタンを押下すると、ＣＰＵ２０１は、図２９に示すようにディスプレイ２０２にアッシー一覧表の画像を表示する。
【０１３１】
（ａ）設変対象品番の部品情報ＰＮに含まれるアイコンのコードを、品番が、トップアッシーか、トップアッシーではないアッシーか、下位に構成する部品の品番がない部品（コンポーネント）かに応じて、Ｉ１１〜Ｉ１３のいずれかのアイコンのコードに変更する。
【０１３２】
（ｂ）設変対象品番の部品情報ＰＮに、予め取得した設変番号（登録時）を含ませる。
（ｃ）設変対象品番の部品情報ＰＮに、入力した属性データに基づいて属性を更新する。
【０１３３】
このようにして、ＣＰＵ２０１は上記処理に基づいて、ディスプレイ２０２の設変対象品番のアイコンをＩ１１〜Ｉ１３のアイコンのいずれかに変更して表示する。又、ＣＰＵ２０１は、設変対象品番を下位として、最上位階層の品番のアイコンＩ１０（図３（ｄ）参照）を表示する。
【０１３４】
８）設変プロパティ
次に、図示はしないが、設変プロパティについて説明する。
操作者は、設変対象品番をポインタで選択し、マウス２０４の右ボタン２０４Ｒをクリックする。ＣＰＵ２０１は、このクリックによる指令信号に応じて、設変メニュー５１を表示する。続いて、操作者は、設変メニュー５１中の設変プロパティボタン５１ｈを押下する（図１４参照）。
【０１３５】
設変プロパティボタン５１ｈの押下に応じて、ＣＰＵ２０１は、ディスプレイ２０２の表示画面に設変内容（メモ）の入力のための設変内容入力欄を表示画像を表示する。続いて、操作者は、キーボード２０３により、設変内容入力欄に設変の具体的なデータを入力する。
【０１３６】
そして、設変内容入力欄とともに表示画像に設けられた、更新ボタン（図示しない）が押下されることにより、ＣＰＵ２０１は、下記の（ａ）の処理を行い、設変内容を更新する。この後、操作者が図示しない閉じボタンを押下すると、ＣＰＵ２０１は、図２９に示すようにディスプレイ２０２にアッシー一覧表の画像を表示する。
【０１３７】
（ａ）設変対象品番に関する部品情報ＰＮ及び部品構成情報ＰＳの設変内容を上記設変内容入力欄に入力された設変の具体的なデータに更新する。
このようにして、Ｓ４０にて得られた各種データに基づいて、ＰＤＭ本体システム１００から検索して読み出した仮データベースを書き換える。
【０１３８】
（Ｓ５０：出図案内リスト作成）
次に、出図案内リスト作成について説明する。Ｓ５０は、出図する図面の種類や、図面の枚数及び多品一葉図面の情報を入力する処理である。この出図案内リスト作成のときは、例えば、ツリー操作画像が現れている画面において、ディスプレイ２０２上の画面上の図示しない「メニュー」の「ファイル−閉じる」を選択（押下）する。すると、ＣＰＵ２０１は、図３０に示すようにディスプレイ２０２のアッシー一覧表の画像を表示する。
【０１３９】
図３０では、説明の便宜上、設変Ｎｏを、「５５５５５」とし、同図に示す各アッシー品番（ＡＳＳＹ品番）は、設変数の欄３７ａに示す数に相当する設変が行われたものとする。なお、設変数は、Ｓ４０で設変が行われる毎にカウントされ、該カウントの累積値としてトップアッシーの品番に関する部品情報ＰＮを構成するデータの１つであり、トップアッシー以下の品番で行われた設変の個数（設変数）である。そして、この設変数が、部品情報ＰＮに基づいて設変数の欄３７ａに表示される。
【０１４０】
図３０のように表示された状態で、出図案内リストボタン３９を押下すると、ＣＰＵ２０１は、図３１に示す出図案内リスト作成画像をディスプレイ２０２に表示する。出図案内リスト作成画像は、図３１に示すように、設変対象品番表示領域９０、選択後設変対象品番表示領域９１、代表品番表示領域９２、図品番セットボタン９３、枝品番セットボタン９４、解除ボタン９５、データ種別入力欄９６、枚数入力欄９７、変更ボタン９８、閉じるボタン９９等を備える。
【０１４１】
設変対象品番表示領域９０は、出図案内リストボタン３９を押下する直前迄に、共通の設変Ｎｏの下で設変が行われた設変対象品番等を表示する領域である。該領域には、品番表示領域９０ａと設変内容表示領域９０ｂとを有する。ＣＰＵ２０１は、出図案内リストボタン３９の押下に応じて、前記共通の設変Ｎｏの下で行われた設変対象品番を、部品情報ＰＮの設変番号（登録時）に基づいて設変対象品番表示領域９０の品番表示領域９０ａにリストアップして表示する。
【０１４２】
又、ＣＰＵ２０１は、設変内容表示領域９０ｂに、前記部品情報ＰＮの副ステイタスに基づき、前記設変対象品番の設変内容を品番表示領域９０ａにリストアップされた各設変対象品番に対応して表示する。
【０１４３】
図３１に示すように、操作者が、リストアップされた設変対象品番のうち、出図案内リストを作成したい設変対象品番をポインタで選択し、図品番セットボタン９３を押下すると、ＣＰＵ２０１は、選択後設変対象品番表示領域９１に前記選択された設変対象品番を移動して表示する（図３２参照）。
【０１４４】
選択後設変対象品番表示領域９１は、品番表示領域９１ａ、データ種別表示領域９１ｂ，枚数表示領域９１ｃ，設変内容表示領域９１ｄとを有する。
品番表示領域９１ａには、品番表示領域９０ａから移動した品番が表示される。データ種別表示領域９１ｂには、データ種別が表示される。９１ｃには、出図する際の枚数が表示される。設変内容表示領域９１ｄは、品番表示領域９１ａに表示された設変内容が表示される。
【０１４５】
（多品一葉図面以外の場合）
図３２の状態で、多品一葉図以外の場合は、さらに、同様に、設変対象品番表示領域９０から、各設変対象品番をそれぞれ選択して、図品番セットボタン９３を押下すると、ＣＰＵ２０１は、図示はしないが、全ての設変対象品番を選択後設変対象品番表示領域９１に移動させる。この場合は、品番表示領域９１ａに表示された設変対象品番は、後述する多品一葉図となる場合と相違し、該品番の左端の位置は、互いに同じ位置となる。
【０１４６】
ここで、ポインタを品番表示領域９１ａに表示された設変対象品番のデータ種別表示領域９１ｂは、デフォルトは、キャド（ＣＡＤ）とされる。しかし、他のデータに変更したい場合は、キーボード２０３等により例えばデータ種別入力欄９６に「図面」と入力し、変更ボタン９８を押下すると、ＣＰＵ２０１はデータ種別表示領域９１ｂの表示を「図面」に変更する。
【０１４７】
又、ポインタを品番表示領域９１ａに表示された設変対象品番の枚数表示領域９１ｃは、デフォルトは、「１」とされる。しかし、数値を変更したい場合は、キーボード２０３等により枚数入力欄９７に２以上の数値を入力し、変更ボタン９８を押下すると、ＣＰＵ２０１は枚数表示領域９１ｃの表示を、枚数入力欄９７に入力した数値に表示変更する。
【０１４８】
（多品一葉図面の場合）
ここで、多品一葉図面を説明する。例えば、長尺状の部品の場合、長さだけが異なり、長さ以外の他の構成部分は、同じのものがある場合、一様の図面（設計図面）にて長さ以外の互いに同じ構成部分を図面化し、長さに関してだけは、数値等により記述して、異なる部品（多品）が一葉の図面にされている場合がある。このように、異なる部分があっても、同じ構成を有している場合、同じ構成は図面化して、異なる部分のみを数値等により記述して一葉の図面に複数の部品（多品）が記述されている図面を多品一葉図面（又は多品一葉図）という。
【０１４９】
多品一葉図面の場合は、図３２の状態において、品番をポインタにて選択し、マウス２０４の左ボタン２０４Ｌにてクリックする。この場合に選択された品番を、「代表品番」と称する。このようにして代表品番が選択されると、選択された品番に関する部品情報ＰＮの代表品番の記録領域に記録される。ＣＰＵ２０１は、上記のように、代表品番が選択されると、当該代表品番を代表品番表示領域９２に表示する（図３３参照）。
【０１５０】
続いて、操作者が、設変対象品番表示領域９０にある設変対象品番（多品一葉図面に関する説明中では、以下、枝品番という）をポインタにて選択し、枝品番セットボタン９４を押下する。この押下に応じて、ＣＰＵ２０１は、選択された枝品番を選択後設変対象品番表示領域９１に移動させる。この場合、品番表示領域９１ａに表示された設変対象品番は、多品一葉図となるため、枝品番の左端は、代表品番よりも数例下がった位置となるように表示される（本実施形態では、３列（３文字）下がった位置）。なお、この実施形態では、枝品番は代表品番よりも数列下がった位置としているが、１列下がった位置であってもよい。
【０１５１】
図３４は、図３３において、品番表示領域９０ａにあった設変対象品番（枝品番）を全て選択後設変対象品番表示領域９１に移動したときを表示している。なお、選択後設変対象品番表示領域９１に移動した枝品番においても、データ種別、枚数は、上述した代表品番のときと同様に、変更が可能である。
【０１５２】
図３４に示すように設変対象品番表示領域９０に品番がなくなった後、閉じボタン９９を押下すると、ＣＰＵ２０１は、Ｓ５０で設定したデータが互いに関連付けられたリレーショナルデータベースとしてハードディスク２０５に保存される。このリレーショナルデータベースは、前記仮データベースとともに関連付けがされる。
【０１５３】
リレーショナルデータベースとしては、出図リストファイル、出図リストリレーションファイル、指令書リレーションファイルを有する。品番毎に作成される出図リストファイルには、前述した「図品番、データ種別、枚数、出図状況」等を含むデータにて構成されている。ここで、図品番とは、多品一葉図面の場合は、代表図面であり、多品一葉図面以外の場合は、品番（品番表示領域９１ａに表示された設変対象品番）である。出図状況は、出図が既に出ているのか、後日でるのかを示すデータである。
【０１５４】
出図リストリレーションファイルは、代表品番、枝品番、設変有無等のデータにて構成されている。出図リストリレーションファイルは、多品一葉図面を管理するためにのみ使用されるファイルである。設変有無は、今回設変処理しているか否かを識別するためのコードである。
【０１５５】
指令書リレーションファイルは、マイナー設変又はメジャー設変された品番、上記設変のあつたトップアッシーの品番等のデータにて構築されている。
（Ｓ６０：印刷・回覧）
Ｓ６０では、図８の初期メニューに戻り、印刷・回覧ボタン１５を押下する。図３７は、ＣＰＵ２０１が実行する印刷・回覧処理のフローチャートである。ＣＰＵ２０１は、この操作に応じて、図３５に示すように、印刷回覧設変Ｎｏ選択画像をディスプレイ２０２に表示する（Ｓ１００）。
【０１５６】
印刷回覧設変Ｎｏ選択画像は、選択設変Ｎｏ表示欄１１０、設変Ｎｏ表示領域１２０、印刷・回覧開始ボタン１２２、戻るボタン１２４等を有する。
設変Ｎｏ表示領域１２０は、設変Ｎｏ欄１２０ａ，作成者欄１２０ｂ、状態欄１２０ｃを有する。設変Ｎｏ欄１２０ａは、ハードディスク２０５に格納されるとともに、「状態」が回覧中、又は設変中の設変Ｎｏを表示する欄である。
【０１５７】
作成者欄１２０ｂは設変Ｎｏの関する設変処理を行う担当者名が表示される。状態欄１２０ｃは、現在回覧中か、設変中の状態を示す欄である。この状態欄１２０ｃは、ハードディスク２０５に格納した、前記設変指令書Ｎｏ台帳に基づいて表示される。すなわち、ある設変Ｎｏの元で、前述したＳ４０において、設変がされているときは、該当するその設変Ｎｏが設変中である旨の記録をハードディスク２０５に格納した設変指令書Ｎｏ台帳に対してＣＰＵ２０１は行い、この記録データに基づいて「設変中」の表示をディスプレイ２０２に行わせる。
【０１５８】
なお、「回覧中」の表示については後述する。
続いて、状態欄１２０ｃが「設変中」となっている設変Ｎｏがポインタで選択されると、選択設変Ｎｏ表示欄１１０に、選択された設変Ｎｏが表示される。この状態で、印刷・回覧開始ボタン１２２が押下されると（Ｓ１１０）、ＣＰＵ２０１は「設変中」の表示から「回覧中」の表示に切り換えるとともに、回覧中である旨の記録を設変指令書Ｎｏ台帳に対して行う。又、ＣＰＵ２０１は、指令書・部品表印刷ボタン（図示しない）をディスプレイ２０２に表示する（Ｓ１２０）。操作者はこの指令書・部品表印刷ボタンを押下すると（Ｓ１３０）、Ｓ１４０において、ＣＰＵ２０１は前記選択された設変Ｎｏを特定して該設変Ｎｏの下で行われた設変の内容の印刷指令をプリンタ２０６に出力し、プリンタ２０６を制御して部品表、指令書及び出図案内リストを、前述したように書き換えした仮データベースに基づいて、印刷する。
【０１５９】
図３８は、印刷された指令書の例を示し、各種データが表形式で印刷されている。指令書とは、特定の設変Ｎｏの下で行われた設変の内容を、当該品番に関係する部署に知らせるめたの書類である。
【０１６０】
指令書は、表題欄２４０と、設変処理がされた品番等を表す複数の設変品番表示欄２５０とを備える。表題欄２４０中の製品名欄２４２の内容は、マイナー設変又はメジャー設変があったかを指令書リレーションファイルに基づき、まずトップアッシーの品番が求められ、該トップアッシーの部品情報ＰＮの品名から得られる。
【０１６１】
設変Ｎｏ欄２４４の内容は、当該印刷を行うときに選択設変Ｎｏ表示欄１１０（図３５参照）に表示された設変Ｎｏから得られる。担当設計欄２４６の内容は、設変指令書Ｎｏ台帳の担当設計入力欄（担当設計部署入力欄）２２ａに入力されたデータから得られる。
【０１６２】
設変品番表示欄２５０中のＬＶＬ（レベル）の新欄２５１の内容は、当該品番からトップアッシーまでのそれぞれ品番の親子関係を示す部品構成情報ＰＳの「親品番」、「子品番」に基づいて得られる。又、ＬＶＬ（レベル）の旧欄２５２の内容は、当該品番からトップアッシーまでのそれぞれ品番の親子関係を示す部品構成情報ＰＳの「親品番」、「子品番」及び「副ステイタス」に基づいて得られる。
【０１６３】
設変品番表示欄２５０中の旧品番欄２５３の内容は、部品情報ＰＮの来歴品番から得られる。設変品番表示欄２５０中の新品番欄２５４の内容は、設変が行われた後の部品情報ＰＮの品番から得られる。
【０１６４】
品名欄２５７の内容は、当該品番の部品情報ＰＮの品名から得られる。設変事項２５５の内容は、部品情報ＰＮの副ステイタスから得られる。出図欄２５６の内容は、前記出図リストファイルの出図状況から得られる。
【０１６５】
図３９は、印刷された部品表の例を示し、各種データが表形式で印刷されている。部品表は、表題欄３４０と、品番等を表す複数の品番表示欄３５０とを備える。表題欄３４０中の製品名欄３４２の内容は、トップアッシーの品番の部品情報ＰＮから得られる。トップアッシー品番欄３４４は、トップアッシーの品番の部品情報ＰＮの品番から得られる。
【０１６６】
品番表示欄３５０中の変更欄３５１の内容は、品番の部品情報ＰＮの「副ステイタス」に基づいて得られ、設変があった品番のみ変更があった旨の印が記される。ＬＶＬ（レベル）欄３５２の内容は、当該品番からトップアッシーまでのそれぞれ品番の親子関係を示す部品構成情報ＰＳの「親品番」、「子品番」に基づいて得られる。品番表示欄３５０中の品番欄３５３の内容は、部品情報ＰＮの品番から得られる。
【０１６７】
品名欄３５４の内容は、当該品番の部品情報ＰＮの品名から得られる。数量欄３５５の内容は、当該品番を子品番としたときの、親品番との関係を表す部品構成情報ＰＳの数量から得られる。単位欄３５６の内容は、同じく部品構成情報ＰＳの単位から得られる。
【０１６８】
図４０は出図案内（配布）リストの例を示し、各種データが表形式で印刷されている。出図案内リストは表題欄４４０と、リストアップされた物を挙げるためのリストアップ欄４５０とを備えている。
【０１６９】
設変Ｎｏ欄４４６の内容は、当該印刷を行うときに選択設変Ｎｏ表示欄１１０（図３５参照）に表示された設変Ｎｏから得られる。表題欄４４０中の製品名欄４４２の内容は、前記設変Ｎｏの下で更新された、トップアッシーの品番の部品情報ＰＮから得られる。担当設計欄４４４の内容は、設変指令書Ｎｏ台帳の担当設計入力欄（担当設計部署入力欄）２２ａに入力されたデータから得られる。
【０１７０】
リストアップ欄４５０中の物品名欄４５１の内容は、設変指令書及び部品表についてはその旨が印刷される。又、リストアップ欄４５０中の物品名欄４５１の内容は、品番については、多品一葉図面ではない場合、出図リストファイルに基づいて得られ、多品一葉図面に関しては、出図リストファイル及び出図リストリレーションファイルに基づいて得られる。
【０１７１】
リストアップ欄４５０中のデータ種別欄４５２の内容は、設変指令書及び部品表については、エクセルで在る旨が印刷される。又、リストアップ欄４５０中のデータ種別欄４５２の内容は、品番に関しては、出図リストファイルのデータ種別に基づいて得られる。
【０１７２】
リストアップ欄４５０中の紙枚数欄４５３の内容（数値）は、設変指令書及び部品表については、印刷するデータ量に応じて算出することにより得られる。又、リストアップ欄４５０中の紙枚数欄４５３の内容（数値）は、品番に関しては、出図リストファイルの「枚数」に基づいて得られる。
【０１７３】
リストアップ欄４５０中の配布先欄４５４は、配布先毎に欄が設けられている。そして、設変対象品番と設変対象品番によって影響を受ける配布先とが関連付けられたデータファイルが、ハードディスク２０５に記憶されており、該データファイルに基づいて出図案内リストの印刷時に、物品名欄４５１に挙げられた品番（設変対象品番）と対応する配布先欄（部署）欄に「○印」が記される。物品名欄４５１に挙げられた物の部数の合計数（合計部数）は、前記「○印」が付される数と対応するように、ＣＰＵ２０１にて算出され、その算出結果がリストアップ欄４５０中の合計部数欄４５５に記される。
【０１７４】
（Ｓ７０：承認）
Ｓ７０では、操作者又は担当者は、前記出図案内リストに従って、各配布先に、出図案内リストに挙げた物を配布し、関係各部署、或いは責任担当者等から承認を受ける。
【０１７５】
（Ｓ８０：設変承認）
設変承認処理を行う場合は、操作者は、図８に示す設変承認ボタン５０を押下する。ＣＰＵ２０１は、この押下に応じて図４１の承認設変Ｎｏ選択画像をディスプレイ２０２に表示する。
【０１７６】
承認設変Ｎｏ選択画像は、選択設変Ｎｏ表示欄３１０、及び設変Ｎｏ表示領域３２０、承認開始ボタン３２２、戻るボタン３２４等を有する。選択設変Ｎｏ表示欄３１０、設変Ｎｏ表示領域３２０、設変Ｎｏ欄３２０ａ，作成者欄３２０ｂ、状態欄３２０ｃ、戻るボタン３２４は、選択設変Ｎｏ表示欄１１０、設変Ｎｏ表示領域１２０、設変Ｎｏ欄１２０ａ、作成者欄１２０ｂ、状態欄１２０ｃ及び戻るボタン１２４とそれぞれ同様であるので、説明を省略する。
【０１７７】
図４１の承認設変Ｎｏ選択画像が表示された場合、設変承認する設変Ｎｏをポインタにて選択する。設変Ｎｏがポインタで選択されると、選択設変Ｎｏ表示欄３１０に、選択された設変Ｎｏが表示される。
【０１７８】
この状態で、承認開始ボタン３２２が押下されると、ＣＰＵ２０１は、ディスプレイ２０２に図示しない、担当者名入力欄と日付入力欄及びＯＫボタンを表示して、入力を促す。そして、担当者名入力欄と日付入力欄にそれぞれ担当者名及び日付入力がされて、図示しない前記ＯＫボタンが押下されると、ＣＰＵ２０１は、前記選択された設変Ｎｏを含む部品情報ＰＮ、及び部品構成情報ＰＳの有効日（登録時）の項目に、前記日付欄に入力された日付を記録する。又、ＣＰＵ２０１は、Ｓ４０で行われた設変内容を含んだ仮データベースをＰＤＭ本体システム１００のデータベースに反映させる。具体的には、ＣＰＵ２０１が、前記仮データベースをＰＤＭ本体システム１００に送信すると、ＰＤＭ本体システム１００のＣＰＵ１０１は、該仮データベースを受信し、受信した仮データベースに基づいてＰＤＭデータベースＤを更新する。
【０１７９】
承認開始ボタン３２２を押下した後は、操作者は、戻るボタン３２４を押下して、図８の初期メニューに戻る。
（Ｓ９０：システム終了）
Ｓ８０の処理が終了後、初期メニューの終了ボタン８０を操作者が押下してシステムを終了する。
【０１８０】
（浮遊品番の登録）
次に品番登録システム３００を使用した浮遊品番の登録の仕方について、図４２〜４５を参照して説明する。図４５は、操作のフローチャートである。
【０１８１】
（Ｓ３１０）
操作者は、品番登録システム３００を起動して、キーボード３０３を操作してディスプレイ３０２に初期メニューを図４２に示すように表示させる。図４２の初期メニューは、パーツ（ＰＡＲＴ）ボタン４００、及びアッシーボタン４１０を備えている。
【０１８２】
パーツボタン４００は、単品の品番を登録候補品番として選択するためのものである。アッシーボタン４１０は、アッシー品番を登録候補品番として選択するためのものである。従って、パーツボタン４００が押下されると、これ以後に行われる各種ボタン操作によって、ＣＰＵ３０１は、単品の品番として登録候補品番を選択する。一方、アッシーボタン４１０が押下されると、これ以後に行われる各種ボタン操作によって、ＣＰＵ３０１は、アッシー品番として登録候補品番を選択する。
【０１８３】
（Ｓ３２０）
ここでは、アッシー品番を登録候補品番として選択するために、アッシーボタン４１０が押下されたものとする。図４３は、アッシーボタン４１０が押下されたときの、ディスプレイ３０２に表示された品番選択画面である。
【０１８４】
品番選択画面には、図４３に示すように、「製品別」、「主文類」、「副文類」、「パーツ名」の項目欄５１０〜５４０が設けられている。「主文類」、及び「副文類」の項目欄は、製品及び部品管理に必要な観点で、それぞれ分類分けされたものである。
【０１８５】
各項目欄５１０〜５４０は、複数の項目選択ボタン５１０ａ、５２０ａ、５３０ａ、５４０ａを備えている。又、項目欄５１０〜５３０欄の項目選択ボタンの横には、その項目選択ボタンの分類名の表示欄５１０ｂ、５２０ｂ，５３０ｂが設けられている。又、品番選択画面には、品番入力欄５５０、品名入力欄５６０、及び選択ボタン５７０が設けられている。
【０１８６】
そして、操作者は、項目欄５１０〜５３０の順（すなわち、「製品別」、「主文類」、「副文類」の順）に、項目選択ボタン５１０ａ、５２０ａ、５３０ａを押下する。すると、押下された項目選択ボタン５１０ａ、５２０ａ、５３０ａに対応した分類符号を、品番入力欄５５０に、ＣＰＵ３０１は入力する。又、項目欄５１０〜５３０の押下の後に「パーツ名」の項目選択ボタン５４０ａを操作者が押下すると、品名入力欄５６０に、ＣＰＵ３０１はその押下した項目選択ボタン５４０ａに対応したパーツ名を入力する。
【０１８７】
選択ボタン５７０を押下すると、ＣＰＵ３０１は、品番入力欄５５０及び品名入力欄５６０に入力されたデータを操作者が、選択したものとして、Ｓ３３０に移行する。
前記項目選択ボタン５１０ａ、５２０ａ、５３０ａ及びマウス３０４は、使用予定品番入力手段に相当する。
【０１８８】
（Ｓ３３０）
Ｓ３３０では、ＣＰＵ３０１は、図４４に示すようにディスプレイ３０２に浮遊品番登録画面を表示する。浮遊品番登録画面は、品番表示欄６００、パーツ名表示欄６１０、取り消しボタン６２０及び登録ボタン６３０を有する。品番表示欄６００には、選択ボタン５７０が押下されたときに、品番入力欄５５０に入力されていた品番をＣＰＵ３０１は、表示する。又、パーツ名表示欄６１０には、選択ボタン５７０が押下されたときに、品名入力欄５６０に入力されていた品番をＣＰＵ３０１は、表示する。
【０１８９】
取り消しボタン６２０が押下されると、ＣＰＵ３０１は、ディスプレイ３０２を図４３の品番選択画面の表示に戻す。又、登録ボタン６３０が押下されると、ＣＰＵ３０１は、品番表示欄６００に表示された品番を浮遊品番とし、パーツ名表示欄６１０に表示されたパーツ名を前記浮遊品番と連付けして、ハードディスク３０５に格納されている浮遊品番データファイルに登録し、この登録処理を終了する。
【０１９０】
以上のようにして、品番登録システム３００は、浮遊品番データファイルが構築されている。ハードディスク３０５は、使用予定品番記憶手段に相当する。又、ＣＰＵ３０１は、記憶制御手段に相当する。
【０１９１】
さて、品番登録システム３００は、ＰＤＭ本体システム１００からの、品番要求指令を入力すると、この浮遊品番データファイルに予め登録された浮遊品番及び関連付けされたパーツ名をＰＤＭ本体システム１００に送信する。ＰＤＭ本体システム１００は、品番登録システム３００から送信されてきた浮遊品番及び該浮遊品番に関連付けされたパーツ名を受信し、ハードディスク１０２の浮遊品番データファイルに一旦格納する。そして、ＰＤＭ設変システム２００からの浮遊品番の要求指令を受信すると、ＰＤＭ本体システム１００のＣＰＵ１０１は、ハードディスク１０２に一旦格納した浮遊品番及びパーツ名をＰＤＭ設変システム２００に送信する。
【０１９２】
以上のように構成された拡張ＰＤＭシステム１０は、下記の特徴がある。
（１）  本実施形態の拡張ＰＤＭシステム１０では、ＰＤＭ設変システム２００のＣＰＵ２０１は、取得手段として、部品情報ＰＮと部品の部品構成情報ＰＳがツリー形式にて管理されたＰＤＭデータベースＤを備えたＰＤＭ本体システム１００の該ＰＤＭデータベースＤから、設変対象の部品に関するデータベースを取得するようにした。
【０１９３】
又、ＣＰＵ２０１は、設変処理手段として前記取得したデータベースにおける設変対象の部品に関するデータに対して設変処理を行うようにした。そして、ハードディスク２０５を記憶手段として、前記設変処理後のデータを含む仮データベースを記憶するようにした。さらに、前記設変処理後の部品の仮データベースに基づいて、ＰＤＭ本体システム１００のＣＰＵ１０１は、更新手段として、ＰＤＭデータベースＤを更新するようにした。
【０１９４】
この結果、本実施形態では、部品の設計変更があったとき、ＰＤＭ本体システム１００と連携して、設変処理を容易に行うことができるとともに、容易に設変処理が行われたことを知ることができる。又、本実施形態によれば、ＰＤＭ本体システム１００のＰＤＭデータベースＤを直接書き換えるのではなく、ＰＤＭデータベースＤとは独立した一時的な仮データベースを構築することにより、ＰＤＭデータベースＤを設変処理に応じて最新の状態にすることができる。
【０１９５】
（２）  本実施形態の拡張ＰＤＭシステム１０では、ＰＤＭ本体システム１００のＣＰＵ１０１は、識別データ付与手段として設変処理が行われた部品に関するデータを識別するための識別データとして、部品情報ＰＮ、及び部品構成情報ＰＳに、主ステイタス及び副ステイタスを付与する。
【０１９６】
又、ＰＤＭ本体システム１００のＣＰＵ１０１は、前記更新手段として、前記識別データ及び前記設変処理後の部品のデータを含む仮データベースに基づいてＰＤＭデータベースＤを更新するようにした。この結果、識別データが付与されたデータを、ＰＤＭ本体システム１００のディスプレイ等にて表示することにより、データ更新があったことを知ることができる。
【０１９７】
（３）  本実施形態の拡張ＰＤＭシステム１０では、前記識別データは、ＰＤＭ本体システム１００でのデータ更新を促すように、主ステイタスとして、「ダミー」を設けた。ＰＤＭ本体システム１００は、データ更新の処理を促す識別データ（「ダミー」）が付与されたデータを、ディスプレイ等の表示手段にて表示することにより、管理者に「ダミー」が付与された部品に関するデータ更新の処理を促すことができる。この結果、ＰＤＭ本体システム１００のデータ更新を容易に行うことができる。
【０１９８】
（４）  本実施形態の拡張ＰＤＭシステム１０では、主ステイタス及び副ステイタスは、どのような設変が行われたかを示す設変履歴を示すデータとした。この結果、設変履歴を示すデータがあることにより、どのような設変処理があったことを知ることができる。又、設変履歴が残るため、間違えて設変処理が仮に行われたとしても、データの復元・廃棄を容易に行うことができる。
【０１９９】
（５）  本実施形態の拡張ＰＤＭシステム１０は、ＰＤＭ設変システム２００のＣＰＵ２０１にて取得した部品の部品構成情報ＰＳに含まれるツリー形式のデータに基づいてツリー表示領域４１（構成ツリー）とリスト表示領域４２（部品リスト）とを連動して表示するディスプレイ２０２（表示手段）を備える。拡張ＰＤＭシステム１０は、設変メニュー５１（設変処理項目メニュー）（図１４参照）の表示を指示するマウス２０４（設変処理メニュー指示手段）を備える。さらに、拡張ＰＤＭシステム１０は、設変メニュー５１の表示の指示に基づいて、ディスプレイ２０２に対して、複数の設変処理項目（マイナー設変ボタン５１ａ、メジャー設変ボタン５１ｂ等）を表示制御するＣＰＵ２０１（メニュー表示制御手段）を備える。拡張ＰＤＭシステム１０は、表示された前記設変処理項目のいずれかを選択するマウス２０４（選択手段）を備える。又、ＣＰＵ２０１（設変処理手段）は、マウス２０４にて選択された設変処理項目に応じた設変処理を行うようにした。
【０２００】
この結果、ディスプレイ２０２には、部品構成を表示するために、トップアッシーを筆頭（上位）にして下位の部品をツリー形式で表示するツリー表示領域４１と、部品リストを表示するリスト表示領域４２（部品表示領域）が設けられる。本実施形態では、設変処理メニューに表示された設変処理項目のいずれかをマウス２０４にて簡単に選択できるため、容易に設変処理を行うことができる。
【０２０１】
（６）  本実施形態の拡張ＰＤＭシステム１０は、部品情報ＰＮ及び部品の部品構成情報ＰＳがツリー形式にて管理されたＰＤＭデータベースＤを備えたＰＤＭ本体システム１００に対して設変対象の部品の検索指示を行うＣＰＵ２０１（検索指示手段)を備える。ＣＰＵ２０１（取得手段）は、ＰＤＭデータベースＤから、前記検索指示に応じて得た設変対象の部品に関するデータベースを取得するようにした。又、拡張ＰＤＭシステム１０は、ＣＰＵ２０１が取得した前記データベースに基づいて、設変対象の部品の品番と、前記設変対象の部品を含む部品構成のトップアッシー品番（最上位品番）を表示するディスプレイ２０２（表示手段）を備える。又、拡張ＰＤＭシステム１０は、前記取得したデータベースにおける設変対象の部品に関するデータに対して設変処理を行うＣＰＵ２０１（設変処理手段）を備える。拡張ＰＤＭシステム１０は、設変処理後のデータを少なくとも含む仮データベースを記憶するハードディスク２０５を備える。そして、拡張ＰＤＭシステム１０は、設変処理後の部品の仮データベースに基づいて前記ＰＤＭデータベースＤを更新するＣＰＵ１０１（更新手段）を備えるようにした。
【０２０２】
上記のようにした結果、ＣＰＵ２０１の検索指示に応じて得た設変対象の部品を含む部品構成のトップアッシー品番のデータを、該ＰＤＭデータベースＤから取得して、ディスプレイ２０２に該設変対象の部品を含む全ての部品構成のトップアッシー品番を表示する。この結果、該設変対象の部品を含む全ての部品構成のトップアッシー品番が表示されるため、全ての設変対象の部品について設変処理を行うことができ、設変漏れを防止することができる。
【０２０３】
（７）  本実施形態は、浮遊品番（使用予定品番）を入力するマウス３０４、項目選択ボタン５１０ａ、５２０ａ等（使用予定品番入力手段）と、浮遊品番を記憶するハードディスク３０５（使用予定品番記憶手段）と、ハードディスク３０５の浮遊品番の読取書き込みを制御するＣＰＵ３０１（記憶制御手段）を備えた品番登録システムを設けた。ＰＤＭ設変システム２００のＣＰＵ２０１は、要求手段として浮遊品番の送出を要求し、ハードディスク３０５が記憶した浮遊品番を取得するようにした。又，ＣＰＵ２０１は、新設品番設定手段として、設変対象の部品の品番を親品番とし、該浮遊品番を新設品番である子品番としてリンクするようにした。
【０２０４】
この結果、拡張ＰＤＭシステム１０では、ＰＤＭ本体システム１００とは独立した品番登録システム３００を備えて、該品番登録システム３００のマウス３０４にて入力した浮遊を予めハードディスク３０５に記憶させ、必要があるときに、ＣＰＵ２０１にて、浮遊品番の送出を要求するようにした。そして、ＣＰＵ２０１は、この浮遊品番を取得し、設定対象の部品の品番を親品番とし、該浮遊品番を子品番としてリンクするようにしている。この結果、使用予定品番は新設品番である子品番、すなわち正規品番となり、この子品番が、ＰＤＭ本体システム１００に送出される。
【０２０５】
このようにして、本実施形態では、取得された使用予定品番を新設品番にするため、確実に品番を取得できる効果がある。又、本実施形態では、使用予定品番を新設品番として多く取りすぎた場合、容易に品番登録システム３００に返却することができる。
【０２０６】
（８）  本実施形態の拡張ＰＤＭシステム１０は、１つ又は複数の設変処理を設変処理単位として特定するための設変Ｎｏ（設変処理識別名）を取得するＣＰＵ２０１（設変処理識別名取得手段）を備える。
【０２０７】
そして、ＣＰＵ２０１（設変処理手段）は、設変処理を行う毎に、該設変処理を行った設変対象の部品に関するデータ（部品情報ＰＮ）に対して、前記取得した設変Ｎｏ（設変処理識別名）、及び、行われた設変処理の名称（マイナー、メジャー等の設変処理名）を付与するようにした。
【０２０８】
この結果、設変Ｎｏ（設変処理識別名）が付与されたデータ又はデータ群は、１つ又は複数の設変処理を設変処理単位として特定することができ、データ管理を行いやすくできる効果を奏する。
【０２０９】
（９）  本実施形態の拡張ＰＤＭシステム１０では、ＣＰＵ２０１は、印刷指令手段として、設変Ｎｏ（設変処理識別名）を特定して該設変Ｎｏの下で行われた設変の内容の印刷指令を出力するようにした。そして、ＣＰＵ２０１は、指令書データ作成手段として、前記印刷指令に応じて、仮データベース中の設変Ｎｏ（設変処理識別名）が付与されたデータを、ハードディスク１０２（記憶手段）から読み出すようにした。
【０２１０】
又、ＣＰＵ２０１は、設変処理が行われた設変対象の部品に関するデータをリストアップした設変指令書データを作成して、プリンタ２０６（印刷手段）に出力するようにした。この結果、設変Ｎｏ（設変処理識別名毎）に設変処理が行われた部品に関するデータを設変指令書に印刷することができる。
【０２１１】
（１０）  本実施形態の拡張ＰＤＭシステム１０では、ＣＰＵ２０１は、印刷指令手段として、設変Ｎｏ（設変処理識別名）を特定して該設変Ｎｏの下で行われた設変の内容の印刷指令を出力するようにした。そして、ＣＰＵ２０１は、部品表データ作成手段として、前記印刷指令に応じて、仮データベース中の設変Ｎｏ（設変処理識別名）が付与されたデータを、ハードディスク１０２（記憶手段）から読み出すようにした。
【０２１２】
そして、ＣＰＵ２０１は、設変処理が行われた部品及び該部品にツリー構造で関係する部品の部品表データを作成して、プリンタ２０６（印刷手段）に出力するようにした。
この結果、本実施形態では、設変Ｎｏ（設変処理識別名）毎に設変処理が行われた部品に関するツリー構造の部品表を印刷することができる。
【０２１３】
（１１）  本実施形態の拡張ＰＤＭシステム１０では、ＣＰＵ２０１は、印刷指令手段として、設変Ｎｏ（設変処理識別名）を特定して該設変Ｎｏの下で行われた設変の内容の印刷指令を出力するようにした。そして、ＣＰＵ２０１は、指令書データ作成手段として、前記印刷指令に応じて、仮データベース中の設変Ｎｏ（設変処理識別名）が付与されたデータを、ハードディスク１０２（記憶手段）から読み出すようにした。又、ＣＰＵ２０１は、部品表データ作成手段として、前記印刷指令に応じて、仮データベース中の設変Ｎｏ（設変処理識別名）が付与されたデータを、ハードディスク１０２（記憶手段）から読み出すようにした。又、ＣＰＵ２０１は、設変処理が行われた設変対象の部品に関するデータをリストアップした設変指令書データを作成して、プリンタ２０６（印刷手段）に出力するようにした。そして、ＣＰＵ２０１は、設変処理が行われた部品及び該部品にツリー構造で関係する部品の部品表データを作成して、プリンタ２０６（印刷手段）に出力するようにした。
【０２１４】
この結果、本実施形態によれば、設変Ｎｏ毎に設変処理が行われた部品に関するデータを設変指令書に印刷することができるとともに、設変処理識別名毎に設変処理が行われた部品に関するツリー構造の部品表を印刷することができる。
【０２１５】
なお、本発明の実施形態は以下のように変更してもよい。
○  前記実施形態では、設変指令書及び部品表のいずれをも印刷するようにしたが、いずれか一方のみ印刷できるようにしてもよい。
【図面の簡単な説明】
【０２１６】
【図１】（ａ）は拡張ＰＤＭシステム１０を示すブロック図、（ｂ）はＰＤＭデータベースＤの概念図。
【図２】（ａ）は部品情報ＰＮの説明図、（ｂ）は部品構成情報ＰＳの説明図。
【図３】（ａ）〜（ｄ）はノーマルアイコンを示す説明図。
【図４】（ａ）〜（ｃ）は変更済アイコンを示す説明図。
【図５】（ａ）〜（ｃ）は要変更アイコンを示す説明図。
【図６】（ａ）〜（ｃ）は属性変更済アイコンを示す説明図。
【図７】ＰＤＭ設変システム２００の操作フローチャート。
【図８】ディスプレイ２０２の表示画面の初期メニューを示す説明図。
【図９】設変指令書Ｎｏ台帳の画像を示す説明図。
【図１０】設変Ｎｏ選択の画像を示す説明図。
【図１１】ＰＤＭ設変対象品番検索の画像を示す説明図。
【図１２】アッシー一覧表の画像を示す説明図。
【図１３】ツリー操作画像を示す説明図。
【図１４】設変メニュー５１の表示画像を示す説明図。
【図１５】マイナー設変後の品番表示画像を示す説明図。
【図１６】アッシー一覧表の画像を示す説明図。
【図１７】アッシー一覧表の画像を示す説明図。
【図１８】アッシー一覧表の画像を示す説明図。
【図１９】アッシー一覧表の画像を示す説明図。
【図２０】使用追加の表示画像を示す説明図。
【図２１】使用追加品番の検索画像を示す説明図。
【図２２】使用追加品番の検索画像を示す説明図。
【図２３】アッシー一覧表の画像を示す説明図。
【図２４】浮遊品番の取得確認画像の説明図。
【図２５】アッシー一覧表の画像を示す説明図。
【図２６】アッシー一覧表の画像を示す説明図。
【図２７】数量変更画像の説明図。
【図２８】数量変更画像の説明図。
【図２９】アッシー一覧表の画像を示す説明図。
【図３０】出図案内リストの画像表示の説明図。
【図３１】出図案内リストの画像表示の説明図。
【図３２】出図案内リストの画像表示の説明図。
【図３３】出図案内リストの画像表示の説明図。
【図３４】出図案内リストの画像表示の説明図。
【図３５】印刷回覧設変Ｎｏ選択画像の説明図。
【図３６】印刷回覧設変Ｎｏ選択画像の説明図。
【図３７】ＣＰＵ２０１が実行するフローチャート。
【図３８】指令書の説明図。
【図３９】部品表の説明図。
【図４０】出図案内リストの説明図。
【図４１】承認設変Ｎｏ選択画像の説明図。
【図４２】品番登録システム３００の初期メニューの説明図。
【図４３】品番選択画面の説明図。
【図４４】浮遊品番登録画面の説明図。
【図４５】品番登録システム３００の操作のフローチャート。
【符号の説明】
【０２１７】
１０…拡張ＰＤＭシステム
５１…設変メニュー（設変処理項目メニュー）
１００…ＰＤＭ本体システム
１０１…ＣＰＵ（更新手段）
２００…ＰＤＭ設変システム
２０１…ＣＰＵ（取得手段、設変処理手段、メニュー表示制御手段、検索指示手段、識別データ付与手段、要求手段、新設品番設定手段、設変処理識別名取得手段、印刷指令手段、指令書データ作成手段）
２０２…ディスプレイ（表示手段）
２０３…キーボード（設変対象品番入力手段）
２０４…マウス（選択手段、設変処理メニュー指示手段）
２０５…ハードディスク（記憶手段）
３０１…ＣＰＵ（記憶制御手段）
３０４…マウス（使用予定品番入力手段）
３０５…ハードディスク（使用予定品番記憶手段）
５１０ａ、５２０ａ、５３０ａ…項目選択ボタン（使用予定品番入力手段）
【図１】
2006127314.tif 000003
【図２】
2006127314.tif 000004
【図３】
2006127314.tif 000005
【図４】
2006127314.tif 000006
【図５】
2006127314.tif 000007
【図６】
2006127314.tif 000008
【図７】
2006127314.tif 000009
【図８】
2006127314.tif 000010
【図９】
2006127314.tif 000011
【図１０】
2006127314.tif 000012
【図１１】
2006127314.tif 000013
【図１２】
2006127314.tif 000014
【図１３】
2006127314.tif 000015
【図１４】
2006127314.tif 000016
【図１５】
2006127314.tif 000017
【図１６】
2006127314.tif 000018
【図１７】
2006127314.tif 000019
【図１８】
2006127314.tif 000020
【図１９】
2006127314.tif 000021
【図２０】
2006127314.tif 000022
【図２１】
2006127314.tif 000023
【図２２】
2006127314.tif 000024
【図２３】
2006127314.tif 000025
【図２４】
2006127314.tif 000026
【図２５】
2006127314.tif 000027
【図２６】
2006127314.tif 000028
【図２７】
2006127314.tif 000029
【図２８】
2006127314.tif 000030
【図２９】
2006127314.tif 000031
【図３０】
2006127314.tif 000032
【図３１】
2006127314.tif 000033
【図３２】
2006127314.tif 000034
【図３３】
2006127314.tif 000035
【図３４】
2006127314.tif 000036
【図３５】
2006127314.tif 000037
【図３６】
2006127314.tif 000038
【図３７】
2006127314.tif 000039
【図３８】
2006127314.tif 000040
【図３９】
2006127314.tif 000041
【図４０】
2006127314.tif 000042
【図４１】
2006127314.tif 000043
【図４２】
2006127314.tif 000044
【図４３】
2006127314.tif 000045
【図４４】
2006127314.tif 000046
【図４５】
2006127314.tif 000047